(57)【要約】      （修正有）【課題】色ずれの低減と輝度の均一性の向上を図る。【解決手段】  少なくとも第１色のサブピクセルを備える画素がマトリクス状に複数配列されている表示装置に用いる表示方法であって、画像データを入力して第１色の基本グレー値を決定する工程と、第１色の基本グレー値に基づいて第１のグレー値と第２のグレー値を得る工程と、第１色のサブピクセル群を第１組のサブピクセルと第２組のサブピクセルに組分けする工程を有する。そして、第１組の各第１色サブピクセルが表示する補正グレー値を、そのサブピクセルを含む画素とその周囲の画素の第１のグレー値を用いて設定する。また、第２組の各第１色サブピクセルが表示する補正グレー値を、そのサブピクセルを含む画素とその周囲の画素の第２のグレー値を用いて設定する。【選択図】図２７
2006285238.tif 000002
【特許請求の範囲】
【請求項１】
少なくとも第１色のサブピクセルを備える画素がマトリクス状に複数配列されている表示装置に用いる表示方法であって、
各画素がフレーム期間内で表示する表示色を記述する画像データを入力し、画素毎に少なくとも第１色の基本グレー値を決定する工程と、
第１色の基本グレー値に対応付けて第１のグレー値と第２のグレー値を記述している第１のルックアップテーブルを用い、画素毎に基本グレー値から第１のグレー値と第２のグレー値を得る工程と、
少なくとも第１色のサブピクセル群を、互いに隔離されたサブピクセル群からなる第１組のサブピクセルと第２組のサブピクセルに組分けする工程と、
前記第１組の第１色サブピクセルとその周囲に位置する画素に対して複数の重み値を含む第２のルックアップテーブルを用い、前記第１組の第１色サブピクセルとその周囲に位置する画素の第１色サブピクセルに対する前記第１のグレー値から、前記第１組の第１色サブピクセルが表示する第１の補正グレー値を設定する工程と、
前記第２組の第１色サブピクセルとその周囲に位置する画素に対して複数の重み値を含む第３のルックアップテーブルを用い、前記第２組の第１色サブピクセルとその周囲に位置する画素の第１色サブピクセルに対する前記第２のグレー値から、前記第２組のサブピクセルが表示する第２の補正グレー値を設定する工程と、
前記フレーム期間内に、第１補正グレー値に対応する電圧で第１組の第１色サブピクセルを駆動し、第２補正グレー値に対応する電圧で第２組の第１色サブピクセルを駆動する工程と、
を備える表示方法。
【請求項２】
前記第２のルックアップテーブルは、前記第１組のサブピクセルとその周囲に位置する画素に対してＡＨと、ＢＨと、ＣＨと、ＤＨと、ＥＨと、ＦＨと、ＧＨと、ＨＨと、ＩＨの九つの重み値を含んでおり、
前記第１組のサブピクセルとその周囲に位置する画素のサブピクセルの第１のグレー値をそれぞれ、ＬＨ（ｎ，ｍ）、ＬＨ（ｎ−１，ｍ−１）、ＬＨ（ｎ−１，ｍ）、ＬＨ（ｎ−１，ｍ＋１）、ＬＨ（ｎ，ｍ−１）、ＬＨ（ｎ，ｍ＋１）、ＬＨ（ｎ＋１，ｍ−１）、ＬＨ（ｎ＋１，ｍ）、ＬＨ（ｎ＋１，ｍ＋１）としたときに、前記第１の補正グレー値Ｌ’Ｈ（ｎ，ｍ）が次式、即ち、
【数１】
2006285238.tif 000016
を満たしており、
前記第３のルックアップテーブルは、前記第２組のサブピクセルとその周囲に位置する画素に対してＡＬと、ＢＬと、ＣＬと、ＤＬと、ＥＬと、ＦＬと、ＧＬと、ＨＬと、ＩＬの九つの重みを含んでおり、
前記第２組のサブピクセルとその周囲に位置する画素のサブピクセルの第２のグレー値をそれぞれ、ＬＬ（ｎ，ｍ）、ＬＬ（ｎ−１，ｍ−１）、ＬＬ（ｎ−１，ｍ）、ＬＬ（ｎ−１，ｍ＋１）、ＬＬ（ｎ，ｍ−１）、ＬＬ（ｎ，ｍ＋１）、ＬＬ（ｎ＋１，ｍ−１）、ＬＬ（ｎ＋１，ｍ）、ＬＬ（ｎ＋１，ｍ＋１）としたときに、前記第２の補正グレー値Ｌ’Ｌ（ｎ，ｍ）が次式、即ち、
【数２】
2006285238.tif 000017
を満たしている、
ことを特徴とする請求項１の表示方法。
【請求項３】
前記第２のルックアップテーブルでは、ＡＨ＝０、ＢＨ＝０．１２５、ＣＨ＝０、ＤＨ＝０．１２５、ＥＨ＝０．５、ＦＨ＝０．１２５、ＧＨ＝０、ＨＨ＝０．１２５、ＩＨ＝０であり、
前記第３のルックアップテーブルでは、ＡＬ＝０、ＢＬ＝０．１２５、ＣＬ＝０、ＤＬ＝０．１２５、ＥＬ＝０．５、ＦＬ＝０．１２５、ＧＬ＝０、ＨＬ＝０．１２５、ＩＬ＝０である、
ことを特徴とする請求項２の表示方法。
【請求項４】
前記第２のルックアップテーブルでは、ＡＨ＝−０．０６２５、ＢＨ＝０．１２５、ＣＨ＝−０．０６２５、ＤＨ＝０．１２５、ＥＨ＝０．７５、ＦＨ＝０．１２５、ＧＨ＝−０．０６２５、ＨＨ＝０．１２５、ＩＨ＝−０．０６２５であり、
前記第３のルックアップテーブルでは、ＡＬ＝−０．０６２５、ＢＬ＝０．１２５、ＣＬ＝−０．０６２５、ＤＬ＝０．１２５、ＥＬ＝０．７５、ＦＬ＝０．１２５、ＧＬ＝−０．０６２５、ＨＬ＝０．１２５、ＩＬ＝−０．０６２５である、
ことを特徴とする請求項２の表示方法。
【請求項５】
前記第２のルックアップテーブルでは、ＡＨ＝１／９、ＢＨ＝１／９、ＣＨ＝１／９、ＤＨ＝１／９、ＥＨ＝１／９、ＦＨ＝１／９、ＧＨ＝１／９、ＨＨ＝１／９、ＩＨ＝１／９であり、
前記第３のルックアップテーブルでは、ＡＬ＝１／９、ＢＬ＝１／９、ＣＬ＝１／９、ＤＬ＝１／９、ＥＬ＝１／９、ＦＬ＝１／９、ＧＬ＝１／９、ＨＬ＝１／９、ＩＬ＝１／９である、
ことを特徴とする請求項２の表示方法。
【請求項６】
少なくとも第１色と第２色と第３色のサブピクセルを備える画素がマトリクス状に複数配列されており、
隣接する二つの画素では、順に第１色のサブピクセルと、第２色のサブピクセルと、第１色のサブピクセルと、第３色のサブピクセルと、第２色のサブピクセルと、第３色のサブピクセルの六つのサブピクセルが配置、又は、順に第３色のサブピクセルと、第２色のサブピクセルと、第３色のサブピクセルと、第１色のサブピクセルと、第２色のサブピクセルと、第１色のサブピクセルの六つのサブピクセルが配置されており、
上下に隣接する各二行内では、第２色のサブピクセルは行方向に互いに隣接して位置しており、第１色のサブピクセルは列方向にずれて位置することによって行方向に隣接しておらず、第３色のサブピクセルは列方向にずれて位置することによって行方向に隣接しておらず、
同一画素に位置する二つの第１色のサブピクセルは同じデータ線で信号を受信し、同一画素に位置する二つの第３色のサブピクセルは同じデータ線で信号を受信する、
表示装置に用いる表示方法であって、
各画素がフレーム期間内で表示する表示色を記述する画像データを入力し、画素毎に各色に対する基本グレー値を決定する工程と、
前記第１色のサブピクセルとその周囲に位置する画素に対する複数の重み値を含む第１色用のフィルタテーブルを用い、前記第１色のサブピクセルとその周囲に位置する画素に対する前記第１色の基本グレー値から、前記第１色のサブピクセルが表示する第１色の補正グレー値を設定する工程と、
前記第３色のサブピクセルとその周囲に位置する画素に対する複数の重み値を含む第３色用のフィルタテーブルを用い、前記第３色のサブピクセルとその周囲に位置する画素に対する前記第３色の基本グレー値から、前記第３色のサブピクセルが表示する第３色の補正グレー値を設定する工程と、
前記第２色に対する基本グレー値を、前記第２色のサブピクセルが表示する第２色の補正グレー値に設定する工程と、
前記フレーム期間内にて、第１色の補正グレー値に対応する電圧で第１色のサブピクセルを駆動し、第２色の補正グレー値に対応する電圧で第２色のサブピクセルを駆動し、第３色の補正グレー値に対応する電圧で第３色のサブピクセルを駆動する工程と、
を備える表示方法。
【請求項７】
前記第１色は赤であり、前記第１色用のフィルタテーブルは、前記第１色のサブピクセルとその周囲に位置する画素に対してＡＲと、ＢＲと、ＣＲと、ＤＲと、ＥＲと、ＦＲと、ＧＲと、ＨＲと、ＩＲの九つの重み値を含んでおり、
前記第１色のサブピクセルとその周囲に位置する画素の第１色に対する基本グレー値をそれぞれ、Ｒ（ｎ，ｍ）、Ｒ（ｎ−１，ｍ−１）、Ｒ（ｎ−１，ｍ）、Ｒ（ｎ−１，ｍ＋１）、Ｒ（ｎ，ｍ−１）、Ｒ（ｎ，ｍ＋１）、Ｒ（ｎ＋１，ｍ−１）、Ｒ（ｎ＋１，ｍ）、Ｒ（ｎ＋１，ｍ＋１）としたときに、前記第１色の補正グレー値Ｒ’（ｎ，ｍ）が次式、即ち、
【数３】
2006285238.tif 000018
を満たしている、
ことを特徴とする請求項６の表示方法。
【請求項８】
前記第３色は青であり、前記第３色用のフィルタテーブルは、前記第３色のサブピクセルとその周囲に位置する画素に対応してＡＢと、ＢＢと、ＣＢと、ＤＢと、ＥＢと、ＦＢと、ＧＢと、ＨＢと、ＩＢの九つの重み値を含んでおり、
前記第３色のサブピクセルとその周囲に位置する画素の第３色に対する基本グレー値をそれぞれ、Ｂ（ｎ，ｍ）、Ｂ（ｎ−１，ｍ−１）、Ｂ（ｎ−１，ｍ）、Ｂ（ｎ−１，ｍ＋１）、Ｂ（ｎ，ｍ−１）、Ｂ（ｎ，ｍ＋１）、Ｂ（ｎ＋１，ｍ−１）、Ｂ（ｎ＋１，ｍ）、Ｂ（ｎ＋１，ｍ＋１）としたときに、前記第３色の補正グレー値Ｂ’（ｎ，ｍ）が次式、即ち、
【数４】
2006285238.tif 000019
を満たしている、
ことを特徴とする請求項６又は７の表示方法。
【請求項９】
少なくとも第１色と第２色と第３色のサブピクセルを備える画素がマトリクス状に複数配列されており、
隣接する二つの画素では、順に第３色のサブピクセルと、第１色のサブピクセルと、第３色のサブピクセルと、第２色のサブピクセルと、第１色のサブピクセルと、第２色のサブピクセルの六つのサブピクセルが配置、又は、順に第２色のサブピクセルと、第１色のサブピクセルと、第２色のサブピクセルと、第３色のサブピクセルと、第１色のサブピクセルと、第３色のサブピクセルの六つのサブピクセルが配置されており、
上下に隣接する各二行内では、第１色のサブピクセルは行方向に互いに隣接して位置しており、第３色のサブピクセルは列方向にずれて位置することによって行方向に隣接しておらず、第１色のサブピクセルは列方向にずれて位置することによって行方向に隣接していない、
表示装置に用いる表示方法であって、
各画素がフレーム期間内で表示する表示色を記述する画像データを入力し、画素毎に第１色と第２色と第３色の基本グレー値を決定する工程と、
第１色の基本グレー値に基づいて、第１色用のルックアップテーブルを用い、第１色第１グレー値と第２色第２グレー値を得る工程と、
第１色のサブピクセル群を、同一行内で互いに五つのサブピクセルを隔てて位置するとともに、隣接する各二行内では列方向にずれて位置することによって行方向に隣接していないサブピクセル群からなる第１組の第１色サブピクセルと、残りの第１色のサブピクセル群からなる第２組の第１色サブピクセルとに組分けする工程と、
前記第１組の第１色サブピクセルとその周囲に位置する画素に対する複数の重み値を含んでいる第１色用第１フィルタテーブルを用い、前記第１組の第１色サブピクセルとその周囲に位置する画素に対して第１色第１グレー値から、前記第１組の各第１色サブピクセルが表示する第１色第１補正グレー値を設定する工程と、
前記第２組の第１色サブピクセルとその周囲に位置する画素に対する複数の重み値を含んでいる第１色用第２フィルタテーブルを用い、前記第２組の第１色サブピクセルとその周囲に位置する画素に対して第１色第２グレー値から、前記第２組の各第１色サブピクセルが表示する第１色第２補正グレー値を設定する工程と、
第２色の基本グレー値に基づいて、第２色用のルックアップテーブルを用い、第２色第１グレー値と第２色第２グレー値を得る工程と、
第２色のサブピクセル群を、同一行内で互いに五つのサブピクセルを隔てて位置するとともに、隣接する各二行内では列方向にずれることによって行方向に隣接していないサブピクセル群からなる第１組の第２色サブピクセルと、残りの第２色のサブピクセル群からなる第２組の第２色サブピクセルとに組分けする工程と、
前記第１組の第２色サブピクセルとその周囲に位置する画素に対する複数の重み値を含んでいる第２色用第１フィルタテーブルを用い、前記第１組の第２色サブピクセルとその周囲に位置する画素に対する第２色第１グレー値から、前記第１組の各第２色サブピクセルが表示する第２色第１補正グレー値を設定する工程と、
前記第２組の第２色サブピクセルとその周囲に位置する画素に対する複数の重み値を含んでいる第２色用第２フィルタテーブルを用い、前記第２組の第２色サブピクセルとその周囲に位置する画素に対する第２色第２グレー値から、前記第２組の各第２色サブピクセルが表示する第２色第２補正グレー値を設定する工程と、
前記フレーム期間内にて、設定した補正グレー値に対応する電圧で、各サブピクセルをそれぞれ駆動する工程と、
を備える表示方法。
【請求項１０】
第３色のサブピクセル群を、画素内で左側に位置する第１組の第３色サブピクセルと、画素内で右側に位置する第２組の第３色サブピクセルとに組分けする工程と、
前記第１組の第３色サブピクセルとその周囲に位置する画素に対する複数の重み値を含む第３色用第１フィルタテーブルを用い、前記第１組の第３色サブピクセルとその周囲に位置する画素の第３色の前記基本グレー値から、前記第１組の各第３色サブピクセルが表示する第３色第１補正グレー値を設定する工程と、
前記第２組の第３色サブピクセルとその周囲に位置する画素に対する複数の重み値を含む第３色用第２フィルタテーブルを用い、前記第２組の第３色サブピクセルとその周囲に位置する画素の第３色の前記基本グレー値から、前記第２組の各第３色サブピクセルが表示する第３色第２補正グレー値を設定する工程と、
をさらに備えることを特徴とする請求項９の表示方法。
【請求項１１】
第３色の基本グレー値に基づいて、第３色用のルックアップテーブルを用い、第３色第１グレー値と第３色第２グレー値を得る工程と、
第３色のサブピクセル群を、画素内で左側に位置する第１組の第３色サブピクセルと、画素内で右側に位置する第２組の第３色サブピクセルとに組分けする工程と、
前記第１組の第３色サブピクセルとその周囲に位置する画素に対する複数の重み値を含む第３色用第３フィルタテーブルを用い、前記第１組の第３色サブピクセルとその周囲に位置する画素に対する第３色第１グレー値から、前記第１組の各第３色サブピクセルが表示する第３色第３補正グレー値を設定する工程と、
前記第２組の第３色サブピクセルとその周囲に位置する画素に対する複数の重み値を含む第３色用第４フィルタテーブルを用い、前記第２組の第３色サブピクセルとその周囲に位置する画素に対する第３色第２グレー値から、前記第２組の各第３色サブピクセルが表示する第３色第４補正グレー値を設定する工程と、
をさらに備えることを特徴とする請求項９の表示方法。
【請求項１２】
前記第１色は緑であり、前記第１色用第１フィルタテーブルは、前記第１組の緑サブピクセルとその周囲に位置する画素に対してＡＧＨと、ＢＧＨと、ＣＧＨと、ＤＧＨと、ＥＧＨと、ＦＧＨと、ＧＧＨと、ＨＧＨと、ＩＧＨの九つの重み値を含んでおり、
前記第１組の第１色サブピクセルとその周囲に位置する画素の前記第１色第１グレー値をそれぞれ、ＧＨ（ｎ，ｍ）、ＧＨ（ｎ−１，ｍ−１）、ＧＨ（ｎ−１，ｍ）、ＧＨ（ｎ−１，ｍ＋１）、ＧＨ（ｎ，ｍ−１）、ＧＨ（ｎ，ｍ＋１）、ＧＨ（ｎ＋１，ｍ−１）、ＧＨ（ｎ＋１，ｍ）、ＧＨ（ｎ＋１，ｍ＋１）としたときに、前記第１色第１補正グレー値Ｇ’Ｈ（ｎ，ｍ）が次式、即ち、
【数５】
2006285238.tif 000020
を満たしており、
前記第１色用第２フィルタテーブルは、前記第２組の緑サブピクセルとその周囲に位置する画素に対してＡＧＬと、ＢＧＬと、ＣＧＬと、ＤＧＬと、ＥＧＬと、ＦＧＬと、ＧＧＬと、ＨＧＬと、ＩＧＬの九つの重み値を含んでおり、
前記第２組の第１色サブピクセルとその周囲に位置する画素の第１色第２グレー値をそれぞれ、ＧＬ（ｎ，ｍ）、ＧＬ（ｎ−１，ｍ−１）、ＧＬ（ｎ−１，ｍ）、ＧＬ（ｎ−１，ｍ＋１）、ＧＬ（ｎ，ｍ−１）、ＧＬ（ｎ，ｍ＋１）、ＧＬ（ｎ＋１，ｍ−１）、ＧＬ（ｎ＋１，ｍ）、ＧＬ（ｎ＋１，ｍ＋１）としたときに、前記第１色第２補正グレー値Ｇ’Ｌ（ｎ，ｍ）が次式、即ち、
【数６】
2006285238.tif 000021
を満たしており、
前記第２色は青であり、前記第２色用第１フィルタテーブルは、前記第１組の第２色サブピクセルとその周囲に位置する画素に対してＡＢＨと、ＢＢＨと、ＣＢＨと、ＤＢＨと、ＥＢＨと、ＦＢＨと、ＧＢＨと、ＨＢＨと、ＩＢＨの九つの重み値を含んでおり、
前記第１組の第２色サブピクセルとその周囲に位置する画素の第２色第１グレー値をそれぞれ、ＢＨ（ｎ，ｍ）、ＢＨ（ｎ−１，ｍ−１）、ＢＨ（ｎ−１，ｍ）、ＢＨ（ｎ−１，ｍ＋１）、ＢＨ（ｎ，ｍ−１）、ＢＨ（ｎ，ｍ＋１）、ＢＨ（ｎ＋１，ｍ−１）、ＢＨ（ｎ＋１，ｍ）、ＢＨ（ｎ＋１，ｍ＋１）としたときに、前記第２色第１補正グレー値Ｂ’Ｈ（ｎ，ｍ）が次式、即ち、
【数７】
2006285238.tif 000022
を満たしており、
前記第２色用第２フィルタテーブルは、前記第２組の第２色サブピクセルとその周囲に位置する画素に対してＡＢＬと、ＢＢＬと、ＣＢＬと、ＤＢＬと、ＥＢＬと、ＦＢＬと、ＧＢＬと、ＨＢＬと、ＩＢＬの九つの重み値を含んでおり、
前記第２組の第２色サブピクセルとその周囲に位置する画素の第２色第２グレー値をそれぞれ、ＢＬ（ｎ，ｍ）、ＢＬ（ｎ−１，ｍ−１）、ＢＬ（ｎ−１，ｍ）、ＢＬ（ｎ−１，ｍ＋１）、ＢＬ（ｎ，ｍ−１）、ＢＬ（ｎ，ｍ＋１）、ＢＬ（ｎ＋１，ｍ−１）、ＢＬ（ｎ＋１，ｍ）、ＢＬ（ｎ＋１，ｍ＋１）としたときに、前記第２色第２補正グレー値Ｂ’Ｌ（ｎ，ｍ）が次式、即ち、
【数８】
2006285238.tif 000023
を満たしている、
ことを特徴とする請求項９の表示方法。
【請求項１３】
前記第１色用第１フィルタテーブルでは、ＡＧＨ＝０、ＢＧＨ＝０．１２５、ＣＧＨ＝０、ＤＧＨ＝０．１２５、ＥＧＨ＝０．５、ＦＧＨ＝０．１２５、ＧＧＨ＝０、ＨＧＨ＝０．１２５、ＩＧＨ＝０であり、
前記第１色用第２フィルタテーブルでは、ＡＧＬ＝０、ＢＧＬ＝０．１２５、ＣＧＬ＝０、ＤＧＬ＝０．１２５、ＥＧＬ＝０．５、ＦＧＬ＝０．１２５、ＧＧＬ＝０、ＨＧＬ＝０．１２５、ＩＧＬ＝０であり、
前記第２色用第１フィルタテーブルでは、ＡＢＨ＝０、ＢＢＨ＝０．１２５、ＣＢＨ＝０、ＤＢＨ＝０．１２５、ＥＢＨ＝０．５、ＦＢＨ＝０．１２５、ＧＢＨ＝０、ＨＢＨ＝０．１２５、ＩＢＨ＝０であり、
前記第２色用第２フィルタテーブルでは、ＡＢＬ＝０、ＢＢＬ＝０．１２５、ＣＢＬ＝０、ＤＢＬ＝０．１２５、ＥＢＬ＝０．５、ＦＢＬ＝０．１２５、ＧＢＬ＝０、ＨＢＬ＝０．１２５、ＩＢＬ＝０である、
ことを特徴とする請求項１２の表示方法。
【請求項１４】
前記第３色は赤であり、前記第３色用第１フィルタテーブルは、前記第１組の第３色サブピクセルとその周囲に位置する画素に対してＡＲ１と、ＢＲ１と、ＣＲ１と、ＤＲ１と、ＥＲ１と、ＦＲ１と、ＧＲ１と、ＨＲ１と、ＩＲ１の九つの重み値を含んでおり、
前記第１組の第３色サブピクセルとその周囲に位置する画素に対する第３色の基本グレー値をそれぞれ、Ｒ（ｎ，ｍ）、Ｒ（ｎ−１，ｍ−１）、Ｒ（ｎ−１，ｍ）、Ｒ（ｎ−１，ｍ＋１）、Ｒ（ｎ，ｍ−１）、Ｒ（ｎ，ｍ＋１）、Ｒ（ｎ＋１，ｍ−１）、Ｒ（ｎ＋１，ｍ）、Ｒ（ｎ＋１，ｍ＋１）としたときに、前記第３色第１補正グレー値Ｒ’１（ｎ，ｍ）が次式、即ち、
【数９】
2006285238.tif 000024
を満たしており、
前記第３色用第２フィルタテーブルは、前記第２組の第３色サブピクセルとその周囲に位置する画素に対応してＡＲ２と、ＢＲ２と、ＣＲ２と、ＤＲ２と、ＥＲ２と、ＦＲ２と、ＧＲ２と、ＨＲ２と、ＩＲ２の九つの重み値を含んでおり、
前記第２組の第３色サブピクセルとその周囲に位置する画素に対する第３色の基本グレー値をそれぞれ、Ｒ（ｎ，ｍ）、Ｒ（ｎ−１，ｍ−１）、Ｒ（ｎ−１，ｍ）、Ｒ（ｎ−１，ｍ＋１）、Ｒ（ｎ，ｍ−１）、Ｒ（ｎ，ｍ＋１）、Ｒ（ｎ＋１，ｍ−１）、Ｒ（ｎ＋１，ｍ）、Ｒ（ｎ＋１，ｍ＋１）としたときに、前記第３色第２補正グレー値Ｒ’２（ｎ，ｍ）が次式、即ち、
【数１０】
2006285238.tif 000025
を満たしている、
ことを特徴とする請求項１０の表示方法。
【請求項１５】
前記第３色第１フィルタテーブルでは、ＡＲ１＝０．０６２５、ＢＲ１＝０．０６２５、ＣＲ１＝０、ＤＲ１＝０．３７５、ＥＲ１＝０．３７５、ＦＲ１＝０、ＧＲ１＝０．０６２５、ＨＲ１＝０．０６２５、ＩＲ１＝０であり、
前記第３色第２フィルタテーブルでは、ＡＲ２＝０、ＢＲ２＝０．０６２５、ＣＲ２＝０．０６２５、ＤＲ２＝０、ＥＲ２＝０．３７５、ＦＲ２＝０．３７５、ＧＲ２＝０、ＨＲ２＝０．０６２５、ＩＲ２＝０．０６２５である、
ことを特徴とする請求項１４の表示方法。
【請求項１６】
前記第３の色は赤であり、前記第３色用第３フィルタテーブルは、前記第１組の第３色サブピクセルとその周囲に位置する画素に対してＡＲＨと、ＢＲＨと、ＣＲＨと、ＤＲＨと、ＥＲＨと、ＦＲＨと、ＧＲＨと、ＨＲＨと、ＩＲＨの九つの重み値を含んでおり、
前記第１組の第３色サブピクセルとその周囲に位置する画素の第３色第１グレー値をそれぞれ、ＲＨ（ｎ，ｍ）、ＲＨ（ｎ−１，ｍ−１）、ＲＨ（ｎ−１，ｍ）、ＲＨ（ｎ−１，ｍ＋１）、ＲＨ（ｎ，ｍ−１）、ＲＨ（ｎ，ｍ＋１）、ＲＨ（ｎ＋１，ｍ−１）、ＲＨ（ｎ＋１，ｍ）、ＲＨ（ｎ＋１，ｍ＋１）としたときに、前記第３色第３補正グレー値Ｒ’Ｈ（ｎ，ｍ）が次式、即ち、
【数１１】
2006285238.tif 000026
を満たしており、
前記第３色用第４フィルタテーブルは、前記第２組の第３色サブピクセルとその周囲に位置する画素に対してＡＲＬと、ＢＲＬと、ＣＲＬと、ＤＲＬと、ＥＲＬと、ＦＲＬと、ＧＲＬと、ＨＲＬと、ＩＲＬの九つの重み値を含んでおり、
前記第２組の第３色サブピクセルとその周囲に位置する画素の第３色第２グレー値をそれぞれ、ＲＬ（ｎ，ｍ）、ＲＬ（ｎ−１，ｍ−１）、ＲＬ（ｎ−１，ｍ）、ＲＬ（ｎ−１，ｍ＋１）、ＲＬ（ｎ，ｍ−１）、ＲＬ（ｎ，ｍ＋１）、ＲＬ（ｎ＋１，ｍ−１）、ＲＬ（ｎ＋１，ｍ）、ＲＬ（ｎ＋１，ｍ＋１）としたときに、前記第３色第４補正グレー値Ｒ’Ｌ（ｎ，ｍ）が次式、即ち、
【数１２】
2006285238.tif 000027
を満たしている、
ことを特徴とする請求項１１の表示方法。
【請求項１７】
前記第３色第３フィルタテーブルでは、ＡＲＨ＝０、ＢＲＨ＝０．１２５、ＣＲＨ＝０、ＤＲＨ＝０．１２５、ＥＲＨ＝０．５、ＦＲＨ＝０．１２５、ＧＲＨ＝０、ＨＲＨ＝０．１２５、ＩＲＨ＝０であり、
前記第３色第４フィルタテーブルでは、ＡＲＬ＝０、ＢＲＬ＝０．１２５、ＣＲＬ＝０、ＤＲＬ＝０．１２５、ＥＲＬ＝０．５、ＦＲＬ＝０．１２５、ＧＲＬ＝０、ＨＲＬ＝０．１２５、ＩＲＬ＝０である、
ことを特徴とする請求項１６の表示方法。
【請求項１８】
少なくとも第１色のサブピクセルを備える画素がマトリクス状に複数配列されている表示装置に用いる表示方法であって、
各画素がフレーム期間内で表示する表示色を記述する画像データを入力し、画素毎に少なくとも第１色の基本グレー値を決定する工程と、
基本グレー値に基づいて、第１のルックアップテーブルを用い、第１のグレー値と第２のグレー値を得る工程と、
少なくとも第１色のサブピクセル群を、互いに隔離されたサブピクセル群からなる第１組のサブピクセルと第２組のサブピクセルに組分けする工程と、
前記第１組のサブピクセルとその周囲に位置する画素に対する複数の重み値を含む第２のルックアップテーブルを用い、前記第１組のサブピクセルとその周囲に位置する画素のサブピクセルに対する前記第１のグレー値から、前記第１組のサブピクセルが表示する第１の補正グレー値を設定する工程と、
前記第２組のサブピクセルとその周囲に位置する画素に対する複数の重み値を含む第３のルックアップテーブルを用い、前記第２組のサブピクセルとその周囲に位置する画素のサブピクセルに対する前記第２のグレー値から、前記第２組のサブピクセルが表示する第２の補正グレー値を設定する工程と、
前記サブピクセルとその周囲に位置する画素に対して複数の重み値を含むハイパスルックアップテーブルを用い、サブピクセル毎に空間周波数を計算する工程と、
前記空間周波数と所定の閾値を用いて割り当て重みを得る工程と、
サブピクセル毎に、前記割り当て重みと補正グレー値と基本グレー値を用いて、出力グレー値を得る工程と、
前記フレーム期間内にて、出力グレー値に対応する電圧で、各サブピクセルを駆動する工程と、
を備える表示方法。
【請求項１９】
前記第２のルックアップテーブルは、前記第１組のサブピクセルとその周囲に位置する画素に対してＡＨと、ＢＨと、ＣＨと、ＤＨと、ＥＨと、ＦＨと、ＧＨと、ＨＨと、ＩＨの九つの重み値を含んでおり、
前記第１組のサブピクセルとその周囲に位置する画素のサブピクセルの第１のグレー値をそれぞれ、ＬＨ（ｎ，ｍ）、ＬＨ（ｎ−１，ｍ−１）、ＬＨ（ｎ−１，ｍ）、ＬＨ（ｎ−１，ｍ＋１）、ＬＨ（ｎ，ｍ−１）、ＬＨ（ｎ，ｍ＋１）、ＬＨ（ｎ＋１，ｍ−１）、ＬＨ（ｎ＋１，ｍ）、ＬＨ（ｎ＋１，ｍ＋１）としたときに、前記第１の補正グレー値Ｌ’Ｈ（ｎ，ｍ）が次式、即ち、
【数１３】
2006285238.tif 000028
を満たしており、
前記第３のルックアップテーブルは、前記第２組のサブピクセルとその周囲に位置する画素に対してＡＬと、ＢＬと、ＣＬと、ＤＬと、ＥＬと、ＦＬと、ＧＬと、ＨＬと、ＩＬの九つの重み値を含んでおり、
前記第２組のサブピクセルとその周囲に位置する画素のサブピクセルの第２のグレー値をそれぞれ、ＬＬ（ｎ，ｍ）、ＬＬ（ｎ−１，ｍ−１）、ＬＬ（ｎ−１，ｍ）、ＬＬ（ｎ−１，ｍ＋１）、ＬＬ（ｎ，ｍ−１）、ＬＬ（ｎ，ｍ＋１）、ＬＬ（ｎ＋１，ｍ−１）、ＬＬ（ｎ＋１，ｍ）、ＬＬ（ｎ＋１，ｍ＋１）としたときに、前記第２の補正グレー値Ｌ’Ｌ（ｎ，ｍ）が次式、即ち、
【数１４】
2006285238.tif 000029
を満たしている、
ことを特徴とする請求項１８の表示方法。
【請求項２０】
前記ハイパスルックアップテーブルは、前記第２組のサブピクセルとその周囲に位置する画素に対してＡｆと、Ｂｆと、Ｃｆと、Ｄｆと、Ｅｆと、Ｆｆと、Ｇｆと、Ｈｆと、Ｉｆの九つの重み値を含んでおり、
前記サブピクセルとその周囲に位置する画素のサブピクセルの基本グレー値をそれぞれ、ｇ５、ｇ１、ｇ２、ｇ３、ｇ４、ｇ６、ｇ７、ｇ８、ｇ９としたときに、
前記空間周波数Ｆが次式、即ち、
【数１５】
2006285238.tif 000030
を満たしている、
ことを特徴とする請求項１８又は１９の表示方法。
【請求項２１】
前記空間周波数をＦ、前記閾値をＴとしたときに、割り当て重みＷが次式、即ち、
Ｗ＝Ｆ／Ｔ
を満たしており、
出力グレー値ＯＵＴＰＵＴが次式、即ち、
ＯＵＴＰＵＴ＝補正グレー値×（１−Ｗ）＋基本グレー値×Ｗ
を満たしている、
ことを特徴とする請求項１８から２０のいずれかの表示方法。
【請求項２２】
少なくとも一つの色のサブピクセルを備える画素がマトリクス状に複数配列されており、各色のサブピクセル群が互いに隔離されたサブピクセル群からなる第１組のサブピクセルと第２組のサブピクセルに組分けされている表示パネルと、
画像データを入力し、各画素がフレーム期間内で表示する表示色に基づいて、画素毎に前記サブピクセルの色に対する基本グレー値を生成するグレー値生成手段と、
前記基本グレー値に対応付けて第１のグレー値と第２のグレー値を記述している第１のルックアップテーブルと、第１組のサブピクセルとその周囲に位置する画素に対して複数の重み値を含む第２のルックアップテーブルと、第２組のサブピクセルとその周囲に位置する画素に対して複数の重み値を含む第３のルックアップテーブルとを有しており、第１のルックアップテーブルを用いて前記基本グレー値から第１のグレー値および第２のグレー値とを生成し、第２のルックアップテーブルを用いて前記第１組のサブピクセルとその周囲に位置する画素のサブピクセルの前記第１のグレー値から第１の補正グレー値を生成し、第３のルックアップテーブルを用いて前記第２組のサブピクセルとその周囲に位置する画素のサブピクセルの前記第２のグレー値から第２の補正グレー値を生成する補正グレー値生成手段と、
各サブピクセルを起動する走査ドライバと、
第１の補正グレー値に対応する電圧で第１組のサブピクセルを駆動し、第２の補正グレー値に対応する電圧で第２組のサブピクセルを駆動するデータドライバと、
を備える表示装置。
【請求項２３】
少なくとも第１色と第２色と第３色のサブピクセルを備える画素がマトリクス状に複数配列されており、隣接する二つの画素では、順に第１色のサブピクセルと、第２色のサブピクセルと、第１色のサブピクセルと、第３色のサブピクセルと、第２色のサブピクセルと、第３色のサブピクセルの六つのサブピクセルが配置、又は、順に第３色のサブピクセルと、第２色のサブピクセルと、第３色のサブピクセルと、第１色のサブピクセルと、第２色のサブピクセルと、第１色のサブピクセルの六つのサブピクセルが配置されており、上下に隣接する各二行内では、第２色のサブピクセルが行方向に互いに隣接して位置しており、第１色のサブピクセルが列方向にずれて位置することによって行方向に隣接しておらず、第３色のサブピクセルが行方向にずれて位置することによって行方向に隣接していない表示パネルと、
画像データを入力し、各画素がフレーム期間内で表示する表示色に基づいて、画素毎に第１色と第２色と第３色に対する基本グレー値を生成するグレー値生成手段と、
前記第１色のサブピクセルとその周囲に位置する画素に対して複数の重み値を含む第１色用のフィルタテーブルと、前記第３色のサブピクセルとその周囲に位置する画素に対して複数の重み値を含む第３色用のフィルタテーブルとを有しており、第１色用のフィルタテーブルを用いて前記第１色のサブピクセルとその周囲に位置する画素の前記第１色の基本グレー値から第１色のサブピクセルが表示する第１色の補正グレー値を生成し、第３色用のフィルタテーブルを用いて前記第３色のサブピクセルとその周囲に位置する画素の前記第３色の基本グレー値から第３色のサブピクセルが表示する第３色の補正グレー値を生成する補正グレー値生成手段と、
各サブピクセルを起動する走査ドライバと、
各画素内の二つの第１色のサブピクセルが同じデータ線によって接続されており、各画素内の二つの第３色のサブピクセルが他の同じデータ線によって接続されており、各画素内の第２色のサブピクセルが単独でまた別のデータ線によって接続されており、第１色の補正グレー値に対応する電圧で第１色のサブピクセルを駆動し、第３色の補正グレー値に対応する電圧で第３色のサブピクセルを駆動し、第３色の基本グレー値に対応する電圧で第２色のサブピクセルを駆動するデータドライバと、
を備える表示装置。
【請求項２４】
少なくとも第１色と第２色と第３色のサブピクセルを備える画素がマトリクス状に複数配列されており、隣接する二つの画素では、順に第３色のサブピクセルと、第１色のサブピクセルと、第３色のサブピクセルと、第２色のサブピクセルと、第１色のサブピクセルと、第２色のサブピクセルの六つのサブピクセルが配置、又は、順に第２色のサブピクセルと、第１色のサブピクセルと、第２色のサブピクセルと、第３色のサブピクセルと、第１色のサブピクセルと、第３色のサブピクセルの六つのサブピクセルが配置されており、上下に隣接する各二行内では、第１色のサブピクセルが互いに隣接して位置しており、第３色のサブピクセルが列方向にずれて位置することによって行方向に隣接しておらず、第２色のサブピクセルが列方向にずれて位置することによって行方向に隣接しておらず、第１色のサブピクセル群は、同一行内で互いに五つのサブピクセルを隔てて位置するとともに、隣接する各二行内では列方向にずれて位置することによって行方向に隣接していないサブピクセル群からなる第１組の第１色サブピクセルと、残りの第１色のサブピクセル群からなる第２組の第１色サブピクセルとに組分けされている表示パネルと、
画像データを入力し、各画素がフレーム期間内で表示する表示色に基づいて、画素毎に第１色と第２色と第３色に対する基本グレー値を生成するグレー値生成手段と、
前記基本グレー値に対応付けて第１のグレー値と第２のグレー値を記述している第１のルックアップテーブルと、前記第１組の第１色サブピクセルとその周囲に位置する画素に対して複数の重み値を含む第１のフィルタテーブルと、前記第２組の第１色サブピクセルとその周囲に位置する画素に対して複数の重み値を含む第２のフィルタテーブルとを有しており、前記ルックアップテーブルを用いて第１色の基本グレー値から第１のグレー値および第２のグレー値を生成し、前記第１のフィルタテーブルを用いて前記第１組の第１色サブピクセルとその周囲に位置する画素の前記第１のグレー値から前記第１組の第１色サブピクセルが表示する第１の補正グレー値を生成し、前記第２のフィルタテーブルを用いて前記第２組の第１色サブピクセルとその周囲に位置する画素の前記第２のグレー値から前記第２組の第１色サブピクセルが表示する第２の補正グレー値を生成する補正グレー値生成手段と、
各サブピクセルを起動する走査ドライバと、
前記第１組の第１色サブピクセルを第１の補正グレー値に対応する電圧で駆動し、前記第２組の第１色サブピクセルを第２の補正グレー値に対応する電圧で駆動するデータドライバと、
を備える表示装置。
【請求項２５】
少なくとも第１色のサブピクセルを備える画素がマトリクス状に複数配列されており、第１色のサブピクセル群が互いに隔離されたサブピクセル群からなる第１組のサブピクセルと第２組のサブピクセルに組分けされている表示パネルと、
画像データを入力し、各画素がフレーム期間内で表示する表示色に基づいて、画素毎に第１色に対する基本グレー値を生成するグレー値生成手段と、
前記基本グレー値に対応付けて第１のグレー値と第２のグレー値を記述している第１のルックアップテーブルと、前記第１組のサブピクセルとその周囲に位置する画素に対して複数の重み値を含む第２のルックアップテーブルと、前記第２組のサブピクセルとその周囲に位置する画素に対して複数の重み値を含む第３のルックアップテーブルと、前記サブピクセルとその周囲に位置する画素に対して複数の重み値を含むハイパスルックアップテーブルと、所定の閾値を有しており、第１のルックアップテーブルを用いて基本グレー値から第１のグレー値および第２のグレー値を生成し、第２のルックアップテーブルを用いて前記第１組のサブピクセルとその周囲に位置する画素のサブピクセルの前記第１のグレー値から、前記第１組の各サブピクセルが表示する第１の補正グレー値を生成し、第３のルックアップテーブルを用いて前記第２組のサブピクセルとその周囲に位置する画素のサブピクセルの前記第２のグレー値から、前記第２組の各サブピクセルが表示する第２の補正グレー値を生成し、ハイパスルックアップテーブルを用いて各サブピクセルとその周囲に位置する画素のサブピクセルの基本グレー値から空間周波数を計算し、前記空間周波数と前記閾値を用いて割り当て重みを計算し、前記割り当て重みと前記補正グレー値と基本グレー値を用いて各サブピクセルの出力グレー値を生成する補正グレー値生成手段と、
各サブピクセルを起動する走査ドライバと、
出力グレー値に対応する電圧で第１色のサブピクセルを駆動するデータドライバと、
を備える表示装置。
【発明の詳細な説明】
【技術分野】
【０００１】
本発明は、表示装置を用いる表示方法および表示装置に関する。特に、色ずれを補償可能な表示装置を用いる表示方法および表示装置に関する。
【背景技術】
【０００２】
一般的に、液晶表示装置を正面視した場合と、液晶表示装置を斜視した場合で、光透過率は相違する。これは、入射角度が異なる入射光では、液晶層中で生じるリタデーション（Ｒｅｔａｒｄａｔｉｏｎ）が異なるためであり、見る角度が異なることによって光の屈折率の相違し、光透過率も相違するためのである。従って、視角が異なることによって、表示される光の輝度は異なることとなる。また、異なる色の光（例えば赤色光と、緑色光と、青色光）では、正面視と斜視との輝度比率が異なることから、正面視と斜視との間において表示される色が相違する。この現象は、色ずれ（ｃｏｌｏｒ  ｓｈｉｆｔ）と呼ばれている。一般的に、斜視によって生じる色ずれの程度の大小は、青色光＞緑色光＞赤色光の関係となる。近年、液晶表示装置に関わる技術開発において、正面視と斜視との間における色ずれを低減させるための研究が熱心に行われている。
【０００３】
上記の問題に対して、下記する解決手法が提案されている。
特許文献１には、各画素を異なる特性を備えた複数の領域に分割することで、視角が異なる状況における表示を満足させるものを開示している。欠点は、製造が完了してしまうと調整できないうえ、各領域はそれぞれ特定の表示角度に対応しているため、元の画面の表示効果が低下してしまうことである。
特許文献２には、元の信号を、異なる二つの視角状況の特性曲線（Ｇａｍｍａ  Ｃｕｒｖｅ）に基づいて、異なるドライバ（ｄｒｉｖｅｒ）を介して二つの画面時間ごとにそれぞれ入力するものが開示されている。欠点は、二つの画面時間内における画面の変換が画面のちらつきを招き、しかも合成画面は半数の画素（ｐｉｘｅｌ）のみが所定角度の画面に対して表示するものであり、複数の人が同時に鑑賞する状況を実際には解決しえず、しかも画面の解像度の低下を招くということである。
特許文献３には、２×２以上のサブピクセル（ｓｕｂｐｉｘｅｌ）で画面を表示し、計算値で元来の表示画面を調整し、異なる比率の明暗ピクセル（ｐｉｘｅｌ）比率で表示を完成するものを開示している。欠点は、複数のピクセル（ｐｉｘｅｌ）で表示動作を行なうとともに、各ピクセル（ｐｉｘｅｌ）を単位として考慮しているため、解像度が１７０ｄｐｉ以上の場合でなければ色ずれの問題を解決できないということである。
【０００４】
【特許文献１】米国特許第５，７１７，４７４号明細書
【特許文献２】米国特許第５，８４７，６８８号明細書
【特許文献３】米国特許第６，８０１，２２０号明細書
【０００５】
図１を参照されたい。従来のカラー表示装置１０（例えば、液晶表示装置）は、複数の画素１１、１２を備えている。これら画素１１、１２は、マトリクス状に配列されている。各々の画素は、二つの赤サブピクセルＲと、二つの緑サブピクセルＧと、二つの青サブピクセルＢとを備えており、ストライプ（ｓｔｒｉｐｅ）状に配列されている。画素１１を例にとると、第１の赤サブピクセル１１１と、第２の赤サブピクセル１１２と、第１の緑サブピクセル１１３と、第２の緑サブピクセル１１４と、第１の青サブピクセル１１５と、第２の青サブピクセル１１６とを備えている。
【０００６】
このようなカラー表示装置では、従来における一色のピクセルを二つの小さなサブピクセルに分割し、この二つのサブピクセルを、それぞれ広視野角で色ずれが小さく視野角ずれが小さな明状態表示信号と暗状態表示信号とで駆動する。それにより、色のグレー値（階調値）を合成して表示し、この色の広視野角で生じる色ずれを改善するとともに、その視野角範囲を改善している。
図２を参照されたい。第１の赤サブピクセル１１１は明状態の赤表示信号で駆動され、第２の赤サブピクセル１１２は暗状態の赤表示信号で駆動されている（図２中における斜線は暗状態表示信号での駆動を表す）。第１の画素１１の赤を、第１の赤サブピクセル１１１と第２の赤サブピクセル１１２との合成によって表示することで、第１の画素１１の赤の色ずれおよび視野角を改善している。同様に、第１の画素１１内の緑および青のサブピクセルを同じ方式で駆動表示することで、第１の画素１１全体の色ずれおよび視野角を改善している。
【０００７】
詳細に言えば、異なる色の光の輝度が同じグレー値であっても、異なる色の光では斜視と正面視とにおける正規化光透過率は異なるので、色ずれが生じる。グレー値が０又は２５５に近い値であるとき、斜視と正面視とにおける正規化光透過率の差は小さく、０％に近くなる。従って、例えば青画素の元のグレー値が１２８のとき、暗状態表示信号（暗状態グレー値）を０とし、明状態表示信号（明状態グレー値）を１９０とし、これを一組の補正グレー値（上記の暗状態グレー値および明状態グレー値を含む）として合成表示することにより、元のグレー値と同等の表示が実現されるとともに、正面視と斜視との間の正規化光透過率の差を、元のグレー値１２８を用いて表示するときよりも、小さくすることができる。それにより、使用者が液晶表示装置を正面から見たときに元のグレー値と同じ輝度が視覚されるとともに、斜視と正面視と間における色ずれが低減される。
【発明の開示】
【発明が解決しようとする課題】
【０００８】
しかしながら、上記した従来のカラー表示装置では、各画素を一つの単位としているとともに、明状態表示信号で駆動するサブピクセルがいずれも一行に集中するとともに、暗状態表示信号で駆動するサブピクセルがいずれも他の一行に集中している。したがって、画面上での明暗が不均一となる現象が生じてしまう。例えば、明と暗との周期的な縞模様が顕著に発生してしまい、肉眼で見たときにも過度に目だってしまい、視覚的に好ましくない効果を招いてしまう。また、この表示装置は画素を単位としており、しかもより効率的なサブピクセルのレイアウト配列が施されていないことから、画像信号のサンプリング再現能力が低く、製造工程における解像度を少なくとも倍以上に高めなければ、元来あるような製造工程での解像度に等しくならない。
本発明は、上記問題を鑑みてなされたものであり、新規で有用なカラー表示を実現する技術を提供することを目的とする。
【課題を解決するための手段】
【０００９】
本発明では、各画素が表示すべきグレー値から第１のグレー値と第２のグレー値を生成し、それらの第１のグレー値と第２のグレー値を複数画素で共有するという手法を採用する。
本発明に係る表示装置に利用する一の表示方法は、少なくとも第１色のサブピクセルを備える画素がマトリクス状に複数配列されている表示装置に用いる表示方法であって、
各画素がフレーム期間内で表示する表示色を記述する画像データを入力し、画素毎に少なくとも第１色の基本グレー値を決定する工程と、第１色の基本グレー値に対応付けて第１のグレー値と第２のグレー値を記述している第１のルックアップテーブルを用い、画素毎に基本グレー値から第１のグレー値と第２のグレー値を得る工程と、第１色のサブピクセル群を、互いに隔離されたサブピクセル群からなる第１組のサブピクセルと第２組のサブピクセルに組分けする工程と、前記第１組の第１色サブピクセルとその周囲に位置する画素に対して複数の重み値を含む第２のルックアップテーブルを用い、前記第１組の第１色サブピクセルとその周囲に位置する画素の第１色サブピクセルに対する前記第１のグレー値から、前記第１組の第１色サブピクセルが表示する第１の補正グレー値を設定する工程と、前記第２組の第１色サブピクセルとその周囲に位置する画素に対して複数の重み値を含む第３のルックアップテーブルを用い、前記第２組の第１色サブピクセルとその周囲に位置する画素の第１色サブピクセルに対する前記第２のグレー値から、前記第２組のサブピクセルが表示する第２の補正グレー値を設定する工程と、前記フレーム期間内に、第１補正グレー値に対応する電圧で第１組の第１色サブピクセルを駆動し、第２補正グレー値に対応する電圧で第２組の第１色サブピクセルを駆動する工程とを備えている。
【００１０】
本発明に係る表示装置に利用する第１の具体的な表示方法は、少なくとも第１色と第２色と第３色のサブピクセルを備える画素がマトリクス状に複数配列されている表示装置に好適に用いることができる。この表示方法は、各画素がフレーム期間内で表示する表示色を記述する画像データを入力し、画素毎に前記第１色と第２色と第３色の基本グレー値を決定する工程と、第１色の基本グレー値に対応付けて第１のグレー値と第２のグレー値を記述している第１のルックアップテーブルを用い、画素毎に基本グレー値から第１のグレー値と第２のグレー値を得る工程と、第１色のサブピクセル群を、第１色のサブピクセル群を、同一行内で互いに五つのサブピクセルを隔てて位置するとともに、隣接する各二行内では列方向にずれて位置することによって行方向に隣接していないサブピクセル群からなる第１組の第１色サブピクセルと、残りの第１色のサブピクセル群からなる第２組の第１色サブピクセルとに組分けする工程と、前記第１組の第１色サブピクセルとその周囲に位置する画素に対して複数の重み値を含んでいる第１色用第１フィルタテーブルを用い、前記第１組の第１色サブピクセルとその周囲に位置する画素に対する第１色第１グレー値から、前記第１組の各第１色サブピクセルが表示する第１色第１補正グレー値を設定する工程と、前記第２組の第１色サブピクセルとその周囲に位置する画素に対して複数の重み値を含んでいる第１色用第２フィルタテーブルを用い、前記第２組の第１色サブピクセルとその周囲に位置する画素に対する第１色第２グレー値から、前記第２組の各第１色サブピクセルが表示する第１色第２補正グレー値を設定する工程と、前記フレーム期間内に、第１補正グレー値に対応する電圧で第１組の第１色サブピクセルを駆動し、第２補正グレー値に対応する電圧で第２組の第１色サブピクセルを駆動する工程とを備えている。
【００１１】
本発明に係る表示装置に利用する第２の具体的な表示方法は、少なくとも第１色と第２色と第３色のサブピクセルを備える画素がマトリクス状に複数配列されており、サブピクセル群がシルキー（ｓｉｌｋｙ）形式で配列されている表示装置に好適に用いることができる。即ち、この表示装置では、隣接する二つの画素では、順に第１色のサブピクセルと、第２色のサブピクセルと、第１色のサブピクセルと、第３色のサブピクセルと、第２色のサブピクセルと、第３色のサブピクセルの六つのサブピクセルが配置、又は、順に第３色のサブピクセルと、第２色のサブピクセルと、第３色のサブピクセルと、第１色のサブピクセルと、第２色のサブピクセルと、第１色のサブピクセルの六つのサブピクセルが配置されている。また、上下に隣接する各二行内では、第２色のサブピクセルは行方向に互いに隣接して位置しており、第１色のサブピクセルは列方向にずれて位置することによって行方向に隣接しておらず、第３色のサブピクセルは列方向にずれて位置することによって行方向に隣接していない。また、同一画素に位置する二つの第１色のサブピクセルは同じデータ線で信号を受信し、同一画素に位置する二つの第３色のサブピクセルは他の同じデータ線で信号を受信する。そして、この表示方法は、各画素がフレーム期間内で表示する表示色を記述する画像データを入力し、画素毎に各色に対する基本グレー値を決定する工程と、前記第１色のサブピクセルとその周囲に位置する画素に対する複数の重み値を含む第１色用のフィルタテーブルを用い、前記第１色のサブピクセルとその周囲に位置する画素に対する前記第１色の基本グレー値から、前記第１色のサブピクセルが表示する第１色の補正グレー値を設定する工程と、前記第３色のサブピクセルとその周囲に位置する画素に対する複数の重み値を含む第３色用のフィルタテーブルを用い、前記第３色のサブピクセルとその周囲に位置する画素に対する前記第３色の基本グレー値から、前記第３色のサブピクセルが表示する第３色の補正グレー値を設定する工程と、前記第２色に対する基本グレー値を、前記第２色のサブピクセルが表示する第２色の補正グレー値に設定する工程と、前記フレーム期間内にて、第１色の補正グレー値に対応する電圧で第１色のサブピクセルを駆動し、第２色の補正グレー値に対応する電圧で第２色のサブピクセルを駆動し、第３色の補正グレー値に対応する電圧で第３色のサブピクセルを駆動する工程とを備えている。
【００１２】
本発明に係る表示装置に利用する第３の具体的な表示方法は、上記したサブピクセル群がシルキー（ｓｉｌｋｙ）形式で配列されている表示装置に好適に用いることができる。この表示方法は、各画素がフレーム期間内で表示する表示色を記述する画像データを入力し、画素毎に第１色と第２色と第３色の基本グレー値を決定する工程と、第１色の基本グレー値に基づいて、第１色用のルックアップテーブルを用い、第１色第１グレー値と第２色第２グレー値を得る工程と、第１色のサブピクセル群を、同一行内で互いに五つのサブピクセルを隔てて位置するとともに、隣接する各二行内では列方向にずれて位置することによって行方向に隣接していないサブピクセル群からなる第１組の第１色サブピクセルと、残りの第１色のサブピクセル群からなる第２組の第１色サブピクセルとに組分けする工程と、前記第１組の第１色サブピクセルとその周囲に位置する画素に対する複数の重み値を含んでいる第１色用第１フィルタテーブルを用い、前記第１組の第１色サブピクセルとその周囲に位置する画素に対して第１色第１グレー値から、前記第１組の各第１色サブピクセルが表示する第１色第１補正グレー値を設定する工程と、前記第２組の第１色サブピクセルとその周囲に位置する画素に対する複数の重み値を含んでいる第１色用第２フィルタテーブルを用い、前記第２組の第１色サブピクセルとその周囲に位置する画素に対して第１色第２グレー値から、前記第２組の各第１色サブピクセルが表示する第１色第２補正グレー値を設定する工程と、前記フレーム期間内に、第１補正グレー値に対応する電圧で第１組の第１色サブピクセルを駆動し、第２補正グレー値に対応する電圧で第２組の第１色サブピクセルを駆動する工程とを備えている。
【００１３】
本発明に係る表示装置に利用する第４の具体的な表示方法は、上記したサブピクセル群がシルキー（ｓｉｌｋｙ）形式で配列されている表示装置を、テキストモード表示（文字等を表示）するのに好適に用いることができる表示方法である。この方法は、各画素がフレーム期間内で表示する表示色を記述する画像データを入力し、画素毎に第１色と第２色と第３色の基本グレー値を決定する工程と、マトリックスに配列されている最も外側の一列のサブピクセルを使用せず、三つのサブピクセルを含む画素を一つのサブピクセル分シフトした位置に構成する工程と、前記フレーム期間内にて、基本グレー値に対応する電圧で、各サブピクセルをそれぞれ駆動する工程とを備えている。
【００１４】
本発明に係る表示装置に利用する第５の具体的な表示方法は、少なくとも第１色のサブピクセルを備える画素がマトリクス状に複数配列されている表示装置に用いる表示方法であって、各画素がフレーム期間内で表示する表示色を記述する画像データを入力し、画素毎に前記第１色の基本グレー値を決定する工程と、第１色の基本グレー値に対応付けて第１のグレー値と第２のグレー値を記述している第１のルックアップテーブルを用い、画素毎に基本グレー値から第１のグレー値と第２のグレー値を得る工程と、第１色のサブピクセル群を、互いに隔離されたサブピクセル群からなる第１組のサブピクセルと第２組のサブピクセルに組分けする工程と、前記第１組のサブピクセルとその周囲に位置する画素に対する複数の重み値を含む第２のルックアップテーブルを用い、前記第１組のサブピクセルとその周囲に位置する画素のサブピクセルに対する前記第１のグレー値から、前記第１組のサブピクセルが表示する第１の補正グレー値を設定する工程と、前記第２組のサブピクセルとその周囲に位置する画素に対する複数の重み値を含む第３のルックアップテーブルを用い、前記第２組のサブピクセルとその周囲に位置する画素のサブピクセルに対する前記第２のグレー値から、前記第２組のサブピクセルが表示する第２の補正グレー値を設定する工程と、前記サブピクセルとその周囲に位置する画素に対して複数の重み値を含むハイパスルックアップテーブルを用い、サブピクセル毎に空間周波数を計算する工程と、  前記空間周波数と所定の閾値を用いて割り当て重みを得る工程と、サブピクセル毎に、前記割り当て重みと補正グレー値と基本グレー値を用いて、出力グレー値を得る工程と、前記フレーム期間内にて、出力グレー値に対応する電圧で、各サブピクセルを駆動する工程とを備えている。
【００１５】
本発明に係る表示装置に利用する第６の具体的な表示方法は、少なくとも第１色のサブピクセルを備える画素がマトリクス状に複数配列されている表示装置に用いる表示方法であって、各画素がフレーム期間内で表示する表示色を記述する画像データを入力し、画素毎に少なくとも第１色の基本グレー値を決定する工程と、基本グレー値に基づいて、第１のルックアップテーブルを用い、第１のグレー値と第２のグレー値を得る工程と、前記第１組のサブピクセルとその周囲に位置する画素に対する複数の重み値を含む第２のルックアップテーブルを用い、前記第１組のサブピクセルとその周囲に位置する画素のサブピクセルに対する前記第１のグレー値から、前記第１組のサブピクセルが表示する第１の補正グレー値を設定する工程と、前記第２組のサブピクセルとその周囲に位置する画素に対する複数の重み値を含む第３のルックアップテーブルを用い、前記第２組のサブピクセルとその周囲に位置する画素のサブピクセルに対する前記第２のグレー値から、前記第２組のサブピクセルが表示する第２の補正グレー値を設定する工程と、前記サブピクセルとその周囲に位置する画素に対して複数の重み値を含むハイパスルックアップテーブルを用い、サブピクセル毎に空間周波数を計算する工程と、前記空間周波数と所定の閾値を用いて割り当て重みを得る工程と、サブピクセル毎に、前記割り当て重みと補正グレー値と基本グレー値を用いて、出力グレー値を得る工程と、前記フレーム期間内にて、出力グレー値に対応する電圧で、各サブピクセルを駆動する工程とを備えている。
【００１６】
本発明に係る表示装置に利用する表示方法に関連して、本発明はさらに、各画素が第１色のサブピクセルと、第２色のサブピクセルと、第３色のサブピクセルとを備え、列と行というマトリックス方式に配列された複数の画素を備えた表示パネルの画素配列構造に関する。このうち、各行中にて隣接する二つの画素に対して、これらサブピクセルの配列は順に第３の色サブピクセルと、第１の色サブピクセルと、第３の色サブピクセルと、第２の色サブピクセルと、第１の色サブピクセルと、第２の色サブピクセルなどの六つのサブピクセルか、または順に第２の色サブピクセルと、第１の色サブピクセルと、第２の色サブピクセルと、第３の色サブピクセルと、第１の色サブピクセルと、第３の色サブピクセルなどの六つのサブピクセルとなっている。しかも、隣接する二行の画素に対して、第１の色サブピクセルの位置が互いに隣接しており、第３の色サブピクセルの位置がずれることで隣接しておらず、第２の色サブピクセルの位置がずれることで隣接していない。
【００１７】
また本発明の別の面では、本発明の技術により、上記した表示方法を実施する表示装置を提供することもできる。
【００１８】
本発明に係る表示方法を用いて、製造工程での解像度が同じという前提で、より高度な演算方式を運用して画像信号を処理することで、画質または画面解像度をサブピクセルの製造工程での解像度と同等または二倍の画像効果とすることができる。異なる視角での画面表示における色ずれが少なく、画面輝度が均一で、暗点が視認されにくい。とりわけ、製造工程が簡単なストライプ（ｓｔｒｉｐｅ）型の液晶表示装置を使用する場合、同じような製造工程での解像度を維持しつつも、色ずれを防止し画面明暗の均一化を増進する効果を奏することができる。本発明に係る新規なシルキー（ｓｉｌｋｙ）型の液晶表示装置を使用した場合、同じような製造工程での解像度で、データドライバの量を減らすことができるもので、その減少する個数は３３．３３％までに達する。しかも、テキストモードの表示方法とＬＣＳモードの表示方法を切り換え、または表示するイメージのエッジ部分の解像度をさらに補正して、より鮮明とすることができる。
【発明を実施するための最良の形態】
【００１９】
本発明に係る表示装置を用いた表示方法は、例えば液晶表示装置に用いることができる。液晶表示装置は、マトリックスに配列された複数の画素を備えており、各画素が少なくとも一つの色のサブピクセルを備えている。図３、図４に、本発明に係る表示方法で用いることができる液晶表示装置２０、３０の画素配置の概略図を例示する。
【００２０】
図３に示す液晶表示装置２０では、ストライプ（ｓｔｒｉｐｅ）型の画素配列が採用されている。つまり、各々の画素、例えば画素２１は、順に赤サブピクセル２１１と、緑サブピクセル２１２と、青サブピクセル２１３の三つのサブピクセルを備えている。そして、全体を見たときに、赤、緑、青のサブピクセルが、それぞれ一列に配列されている。ここでは図面を見やすくするために、赤サブピクセルをＲで、緑サブピクセルをＧで、青サブピクセルをＢで示す。
【００２１】
図４に示す液晶表示装置３０では、シルキー（ｓｉｌｋｙ）型の画素配列が採用されている。つまり、各隣接する二つの画素、例えば画素３１、３２は、順に赤サブピクセル３１１と、緑サブピクセル３１２と、赤サブピクセル３１３と、青サブピクセル３２１と、緑サブピクセル３２２と、青サブピクセル３２３などの六つのサブピクセルを備える。または隣接する二つの画素、例えば画素３２および３３で見れば、順に青サブピクセル３２１と、緑サブピクセル３２２と、青サブピクセル３２３と、赤サブピクセル３３１と、緑サブピクセル３３２と、赤サブピクセル３３３の六つのサブピクセルを備えている。このように、シルキー（ｓｉｌｋｙ）型の画素配列では、隣接する二つの画素が、二つの赤サブピクセルと、二つの緑サブピクセル３１２と、二つの青サブピクセルを備えている。また、赤サブピクセルの列方向の位置が上下行においてずれているとともに、青サブピクセルの列方向の位置が上下行においてずれている。その一方で、緑サブピクセルは上下に隣接して一列に配列されている。
【００２２】
本実施例の表示方法は、共通的に、以下のステップを含む。
まず、一つのフレーム期間に対して複数の画像データを入力する。各々の画像データは、各々の色に対応しており、そのフレーム期間における各画素のグレー値を記述している。各々の画像データが記述する色は、画素内にある各々のサブピクセルの色に対応している。画像データが記述するグレー値を、基本グレー値と呼んでいる。
【００２３】
次に、色毎にルックアップテーブル（ｌｏｏｋ  ｕｐ  ｔａｂｌｅ）を参照し、基本グレー値に基づいて第１のグレー値と第２のグレー値を得る。ルックアップテーブルはデータベースである。図５に、緑のルックアップテーブルの一例を示す。図５に示すように、ルックアップテーブルでは、基本グレー値信号組５０に記述されている０から２５５のグレー値Ｌｉ（ｉは正の整数であり、例えばＬ１）に対応付けて、二つのグレー値ＬＨｉ、ＬＬｉが記述されており、一方は高グレー値信号組５１に格納されており、他方は低グレー値信号組５２に格納されている。ここでは、高グレー値信号組５１に格納されているグレー値（例えばＬＨ１）を第１のグレー値とし、低グレー値信号組５２に格納されているグレー値（例えばＬＬ１）を第２のグレー値とする。この二つのグレー値を二つの画素を用いて表示すると、両画素による表示は基本グレー値と同じ視覚効果が得られ、使用者が液晶表示装置を正面から見たときには、基本グレー値と同じ輝度が得られるとともに、斜視と正面視とにおける色ずれが減少する。例えば、サブピクセルの基本グレー値が１２８である場合、明状態表示信号（第１のグレー値）を１９０、暗状態表示信号（第２のグレー値）を０に選択できる。グレー値が０や１９０である表示は、グレー値が１２８である表示に比して、斜視と正面視とにおける色ずれが少ない。このルックアップテーブルは適宜決定することができ、異なる色（例えば赤、緑、青など）では異なるルックアップテーブルを使用することができる。各グレー値は、コンピュータ等のデータ処理手段を用いて計算できるとともに、結果をメモリに保存することもできる。
【００２４】
各画素は、異なる色のサブピクセルを有している。ここで、同じ色の全てのサブピクセルを、第１組のサブピクセルと第２組のサブピクセルとに区分する。この区分では、第１組のサブピクセル群に属する各サブピクセルが、碁盤目状に区画されたパターンで配列されており、第２組のサブピクセル群に属する各サブピクセルが、碁盤目状に区画されたパターンで配列されている。二組のサブピクセル群は空間上において１８０°の位相差を有しており、即ち、互いにずれているということを意味している。これは、表示パネルにおける同じ色のサブピクセルを二組に分け、異なる方式の表示信号で駆動するに際して、サブピクセルの配列位置を効果的に割り当てるためである。具体的には、各組のサブピクセルの配置は、３×３の九個の画素を見たときに、一方の組に属するサブピクセルが存在する画素が九個の画素内に五つ存在し、そのうちの一つの画素が九マスの中心を占め、その他の四つの画素が九個の画素の頂点位置に配列されている。五つの画素は、互いに画素の角部と角部で接し、辺と辺で隣接することはない。このように区分することにより、比較的均一な表示画面を得ることができるとともに、最良の画像信号のサンプリング再現能力が具備されることから、表示する画像の画質が優れることとなる。
【００２５】
また、他のルックアップテーブル（ｌｏｏｋ  ｕｐ  ｔａｂｌｅ）を設定する。このルックアップテーブルもデータベースであり、複数の数値を含んでいる。ここでは、それぞれＡＨと、ＢＨと、ＣＨと、ＤＨと、ＥＨと、ＦＨと、ＧＨと、ＨＨと、ＩＨなどの九つの重みである３×３のマトリックスを例として説明する。この九つの重み値の合計値は１である。各重み値は必要に応じて決定することができる。例えば図６に示すように、九マスの形式で見ると、この九つの重み値はそれぞれ、中心に位置する画素に対する一つの色の基本グレー値と、その周囲に隣接する八つの画素に対する色の基本グレー値に対応している。なお、同じ色のサブピクセルは二組に区分されており、各組に属するサブピクセル群は上下左右に隣接することがないことから、中心の画素内における一つの色のサブピクセルと、その上下左右に隣接する四つの画素内における同じ色のサブピクセルとは、同じ組のサブピクセルではないことが理解できるはずである。
【００２６】
続いて、第１組のサブピクセルの各サブピクセルが表示するに必要なグレー値を計算する。ここでは、これを補正グレー値Ｌ’Ｈ（ｎ，ｍ）と呼ぶ。なお、ｍおよびｎは正の整数であり、画素位置の行と列を示している。基本グレー値とルックアップテーブルとを用いて畳み込み（ｃｏｎｖｏｌｕｔｉｏｎ）演算を行い、前記補正グレー値を得ることができる。補正グレー値は、コンピュータ等のデータ処理手段を用いて計算できるとともに、結果をメモリに保存することができる。計算式は下記のとおりである。
【００２７】
【数１】
2006285238.tif 000003
【００２８】
式中、ＬＨ（ｎ−１，ｍ−１）と、ＬＨ（ｎ−１，ｍ）と、ＬＨ（ｎ−１，ｍ＋１）と、ＬＨ（ｎ，ｍ−１）と、ＬＨ（ｎ，ｍ）と、ＬＨ（ｎ，ｍ＋１）と、ＬＨ（ｎ＋１，ｍ−１）と、ＬＨ（ｎ＋１，ｍ）と、ＬＨ（ｎ＋１，ｍ＋１）はそれぞれマトリックスの九マスにおける第１のグレー値に対応している。
【００２９】
また、他のルックアップテーブルをさらに設定する。このルックアップテーブルもデータベースであり、複数の数値を含んでいる。ここでは、それぞれＡＬと、ＢＬと、ＣＬと、ＤＬと、ＥＬと、ＦＬと、ＧＬと、ＨＬと、ＩＬの九つの重み値を持つ３×３のマトリックスを例として説明する。この九つの重み値の合計値は１である。各重み値は、適宜決定することができる。この九つの重み値はそれぞれ、中心に位置する画素に対する一つの色の基本グレー値と、その周囲に隣接する八つの画素に対するこの色の基本グレー値に対応している。同じ色のサブピクセルは二組に区分されており、各組に属する各サブピクセルは上下左右に隣接していないことから、中心の画素内における一つの色のサブピクセルと、その上下左右に隣接する四つの画素内における同じ色のサブピクセルは、同じ組のサブピクセルではないことが理解できるはずである。
【００３０】
続いて、第２組のサブピクセルの各サブピクセルが表示するに必要なグレー値を計算する。ここでは、これを補正グレー値Ｌ’Ｌ（ｎ，ｍ）と呼んでいる。基本グレー値とルックアップテーブルとを用いて畳み込み（ｃｏｎｖｏｌｕｔｉｏｎ）演算を行うことにより、前記補正グレー値を得ることができる。補正グレー値を生成する手段としてデータ処理手段を用いて計算を行なうとともに、結果をメモリに保存することができる。計算式は下記のとおりである。
【００３１】
【数２】
2006285238.tif 000004
【００３２】
式中、ＬＬ（ｎ−１，ｍ−１）と、ＬＬ（ｎ−１，ｍ）と、ＬＬ（ｎ−１，ｍ＋１）と、ＬＬ（ｎ，ｍ−１）と、ＬＬ（ｎ，ｍ）と、ＬＬ（ｎ，ｍ＋１）と、ＬＬ（ｎ＋１，ｍ−１）と、ＬＬ（ｎ＋１，ｍ）と、ＬＬ（ｎ＋１，ｍ＋１）はそれぞれマトリックスの九マスにおける第２のグレー値に対応している。
【００３３】
最後に、走査ドライバでこれらサブピクセルを起動するとともに、データドライバ（ｄａｔａ  ｄｒｉｖｅｒ）を用いて、フレーム期間に、これらの補正グレー値に対する電圧で対応するサブピクセルをそれぞれ駆動して、一つのフレーム期間の表示を完成させる。
【００３４】
本実施の形態では、同じ色のサブピクセルを二組に区分し、サブピクセルの配列の関係においては、各組に属する各サブピクセルが互いに隔離されており（上下左右に隣接しない）、一つの画素内における一つの色のサブピクセルと、その上下左右に隣接する四つの画素内における同じ色のサブピクセルとが、同じ組に属していない。つまり、この色のサブピクセルが隣接する画素中には、同じ組に属するこの色のサブピクセルが存在しない。本実施の形態では、画素を共有するという概念を用いて、一つのサブピクセルに対する表示グレー値が、その画素自身に指示されたグレー値と、その上下左右に隣接する画素に指示されたグレー値を考慮し、重みを割り当てて決定されている。それにより、実際にはこのように多数のサブピクセルを必要とすることなく、所定の表示画面を支障なく表示できるのである。
【実施例】
【００３５】
（実施例１）
本発明に係る表示方法に関して一つの具体的な実施例を説明する。使用する液晶表示装置は図３に示すようなストライプ型の液晶表示装置である。
【００３６】
図７に示すように、先ず、一つのフレーム期間内における複数の画像データを入力し、画像データを赤と、緑と、青という三色の基本グレー値に分ける。画素位置（ｎ，ｍ）に基づいて、それぞれ赤と、緑と、青という三色の基本グレー値をＲ（ｎ，ｍ）と、Ｇ（ｎ，ｍ）と、Ｂ（ｎ，ｍ）とで示す。ｎおよびｍはそれぞれ正の整数である。
【００３７】
上記各色の基本グレー値を用い、各色に対するルックアップテーブル（図５参照）を参照して、それぞれ第１のグレー値と第２のグレー値を得る。例えばＲ（ｎ，ｍ）に基づいてＲＨ（ｎ，ｍ）とＲＬ（ｎ，ｍ）を得る。また、Ｇ（ｎ，ｍ）に基づいてＧＨ（ｎ，ｍ）とＧＬ（ｎ，ｍ）を得る。また、Ｂ（ｎ，ｍ）に基づいてＢＨ（ｎ，ｍ）とＢＬ（ｎ，ｍ）を得る。
【００３８】
図８、図９に示すように、表示装置の緑サブピクセルを、第１組の緑サブピクセルと第２組の緑サブピクセルとに組分けする。図８は第１組の緑サブピクセルを示している。図中では、第１組に属する緑サブピクセルをＧＨで示す。第１組の緑サブピクセルは、主に高いグレー値である第１のグレー値を表示する。第１組の緑サブピクセルが形成するマトリックス配列では、例えば緑サブピクセル２１２と緑サブピクセル２３２とが、青サブピクセル２１３と、赤サブピクセル２２１と、緑サブピクセル２２２と、青サブピクセル２２３と、赤サブピクセル２３１の五つのサブピクセルを隔てているというように、各々の行において、緑サブピクセル同士が五つのサブピクセルを隔てて位置している。さらに、隣接する二行においては、緑サブピクセルの位置が列方向にずれており、行方向に隣接していない。例えば、第１行の緑サブピクセル２１２、２３２、２０２２は、第２行の緑サブピクセル２５２、２０４１、２０６２と、互いに列方向にずれており、行方向に隣接していない。
【００３９】
図９は第２組の緑サブピクセルを示している。図中では、第２組に属する緑サブピクセルをＧＬで示す。第２組の緑サブピクセルは、残りの緑サブピクセルで構成されている。第２組の緑サブピクセルは、主に低いグレー値である第２のグレー値を表示する。第２組の緑サブピクセルが形成する配列は、第１組の緑サブピクセルに近似しており、例えば緑サブピクセル２２２と緑サブピクセル２０１２とが、青サブピクセル２２３と、赤サブピクセル２３１と、緑サブピクセル２３２と、青サブピクセル２３３と、赤サブピクセル２０１１の五つのサブピクセルを隔てているというように、各々の行中において、緑サブピクセル同士が五つのサブピクセルを隔てて位置している。さらに、隣接する二行においては、緑サブピクセルの位置が列方向にずれており、行方向に隣接していない。例えば、第１行の緑サブピクセル２２２、２０１２、２０３２は、第２行の緑サブピクセル２４２、２６２、２０５２と、互いに列方向にずれており、行方向に隣接していない。
【００４０】
また、図１０、図１１に示すように、表示装置の青サブピクセルを、第１組の青サブピクセルと、第２組の青サブピクセルとに組分けする。図１０は、第１組の青サブピクセルを示している。図中では、第１組の青サブピクセルをＢＨで示す。図１０に示す第１組の青サブピクセルは、主に高いグレー値である第１のグレー値を表示する。第１組の青サブピクセルが形成するマトリックス配列では、例えば青サブピクセル２２３と青サブピクセル２０１３とが、サブピクセル２３１と、２３２と、２３３と、２０１１と、２０１２を隔てて位置しているというように、各々の行において、青サブピクセル同士が五つのサブピクセルを隔てて位置している。さらに、隣接する二行においては、青サブピクセルの位置が列方向にずれており、行方向に隣接していない。例えば、第１行の青サブピクセル２２３、２０１３、２０３３と、第２行の青サブピクセル２４３、２６３、２０５３は、互いに列方向にずれており、行方向に隣接していない。
図１１は、第２組の青サブピクセルを示している。図中では、第２組の青サブピクセルをＢＬで示す。第２の青サブピクセルは、残りの青サブピクセルで構成されている。第２組の青サブピクセルは、主に低いグレー値である第２のグレー値を表示する。第２組の青サブピクセルが形成する配列は、第１組の青サブピクセルに近似しており、第１行の青サブピクセル２１３、２３３、２０２３は、第２行の青サブピクセル２５３、２０４３、２０６３と、互いに列方向にずれており、行方向に隣接していない。
【００４１】
各サブピクセルの表示に対応する補正グレー値を設定する。赤サブピクセルの中間調表示は補正せず、つまり、画像データが記述する赤の基本グレー値をそのまま用いる。
【００４２】
緑サブピクセルおよび青サブピクセルの補正グレー値は、下記のように設定する。
ルックアップテーブルであるデータベースを、緑のフィルタテーブルとして設定する。これは、それぞれＡＧＨと、ＢＧＨと、ＣＧＨと、ＤＧＨと、ＥＧＨと、ＦＧＨと、ＧＧＨと、ＨＧＨと、ＩＧＨの九つの重み値を持つ３×３のマトリックスを備えている。各重み値は、適宜決定することができる。この九つの重み値の合計値は１である。例えば、図６に示す九マスの形式で見ると、この九つの重み値はそれぞれ、中心に位置する画素に対する緑の第１のグレー値と、その周囲に隣接する八つの画素に対する緑の第１のグレー値に対応している。第１組の各緑サブピクセルの表示に必要な補正グレー値Ｇ’Ｈ（ｎ，ｍ）は下記式で計算することができる。
【００４３】
【数３】
2006285238.tif 000005
【００４４】
式中、ＧＨ（ｎ−１，ｍ−１）と、ＧＨ（ｎ−１，ｍ）と、ＧＨ（ｎ−１，ｍ＋１）と、ＧＨ（ｎ，ｍ−１）と、ＧＨ（ｎ，ｍ）と、ＧＨ（ｎ，ｍ＋１）と、ＧＨ（ｎ＋１，ｍ−１）と、ＧＨ（ｎ＋１，ｍ）と、ＧＨ（ｎ＋１，ｍ＋１）は、それぞれ３×３のマトリックス状に位置する九個の画素の緑サブピクセルに対する第１のグレー値を示す。
【００４５】
例を挙げて説明すれば、例えば各重み値は、ＡＧＨ＝０と、ＢＧＨ＝０．１２５と、ＣＧＨ＝０と、ＤＧＨ＝０．１２５と、ＥＧＨ＝０．５と、ＦＧＨ＝０．１２５と、ＧＧＨ＝０と、ＨＧＨ＝０．１２５と、ＩＧＨ＝０とすることができる。この場合、緑サブピクセル２５２の表示に必要な補正グレー値Ｇ’Ｈ（２，２）は、以下のように計算する。
ＧＨ（２，２）（画素２５における緑の第１のグレー値）×０．５（ＥＧＨ）
＋ＧＨ（１，２）（左画素２４における緑の第１のグレー値）×０．１２５（ＤＧＨ）
＋ＧＨ（３，２）（右画素２６における緑の第１のグレー値）×０．１２５（ＦＧＨ）
＋ＧＨ（２，１）（上画素２２における緑の第１のグレー値）×０．１２５（ＢＧＨ）
＋ＧＨ（２，３）（下画素２８における緑の第１のグレー値）×０．１２５（ＨＧＨ）
【００４６】
さらに例を挙げて説明すれば、緑サブピクセル２９２の表示に必要な補正グレー値Ｇ’Ｈ（３，３）は、以下のように計算する。
ＧＨ（３，３）（画素２９における緑の第１のグレー値）×０．５（ＥＧＨ）
＋ＧＨ（２，３）（左画素２８における緑の第１のグレー値）×０．１２５（ＤＧＨ）
＋ＧＨ（４，３）（右画素２０７における緑の第１のグレー値）×０．１２５（ＦＧＨ）
＋ＧＨ（３，２）（上画素２６における緑の第１のグレー値）×０．１２５（ＢＧＨ）
＋ＧＨ（３，４）（下画素２１０３における緑の第１のグレー値）×０．１２５（ＨＧＨ）
【００４７】
このように、高いグレー値である第１のグレー値を用いて明状態表示を行う第１組の各緑サブピクセルの表示に必要な補正グレー値Ｇ’Ｈ（ｎ，ｍ）を計算して得ることができる。
【００４８】
また、各重み値は、ＡＧＨ＝０．０６２５と、ＢＧＨ＝０．１２５と、ＣＧＨ＝０．０６２５と、ＤＧＨ＝０．１２５と、ＥＧＨ＝０．７５と、ＦＧＨ＝０．１２５と、ＧＧＨ＝０．０６２５と、ＨＧＨ＝０．１２５と、ＩＧＨ＝０．０６２５、またはＡＧＨ＝１／９と、ＢＧＨ＝１／９と、ＣＧＨ＝１／９と、ＤＧＨ＝１／９と、ＥＧＨ＝１／９と、ＦＧＨ＝１／９と、ＧＧＨ＝１／９と、ＨＧＨ＝１／９と、ＩＧＨ＝１／９等、各種異なる組合せも可能であり、設計の必要に応じて調整することができる。
【００４９】
また、第２組の緑サブピクセルに対しても、ルックアップテーブルである他のデータベースを、緑の他の緑フィルタテーブルとして設定する。これは、それぞれＡＧＬと、ＢＧＬと、ＣＧＬと、ＤＧＬと、ＥＧＬと、ＦＧＬと、ＧＧＬと、ＨＧＬと、ＩＧＬなどの九つの重み値を持つ３×３のマトリックスを備えている。この九つの重み値の合計値は１であり、各重み値は必要に応じて適宜決定することができる。例えば、図６に示す九マスの形式で見ると、この九つの重み値はそれぞれ、中心に位置する画素に対する緑の第２のグレー値と、その周囲に隣接する八つの画素に対する緑の第２のグレー値に対応している。第２組の各緑サブピクセルの表示に必要な補正グレー値Ｇ’Ｌ（ｎ，ｍ）は下記式で計算することができる。
【００５０】
【数４】
2006285238.tif 000006
【００５１】
式中、ＧＬ（ｎ−１，ｍ−１）と、ＧＬ（ｎ−１，ｍ）と、ＧＬ（ｎ−１，ｍ＋１）と、ＧＬ（ｎ，ｍ−１）と、ＧＬ（ｎ，ｍ）と、ＧＬ（ｎ，ｍ＋１）と、ＧＬ（ｎ＋１，ｍ−１）と、ＧＬ（ｎ＋１，ｍ）と、ＧＬ（ｎ＋１，ｍ＋１）は、それぞれ３×３のマトリックス状に位置する九個の画素の緑サブピクセルの第２のグレー値を示す。
【００５２】
例を挙げて説明すれば、例えば各重み値は、ＡＧＬ＝０と、ＢＧＬ＝０．１２５と、ＣＧＬ＝０と、ＤＧＬ＝０．１２５と、ＥＧＬ＝０．５と、ＦＧＬ＝０．１２５と、ＧＧＬ＝０と、ＨＧＬ＝０．１２５と、ＩＧＬ＝０とすることができる。この場合、緑サブピクセル２６２の表示に必要な補正グレー値Ｇ’Ｌ（３，２）は、以下のように計算する。
ＧＬ（３，２）（画素２６における緑の第２のグレー値）×０．５（ＥＧＬ）
＋ＧＬ（２，２）（左画素２５における緑の第２のグレー値）×０．１２５（ＤＧＬ）
＋ＧＬ（４，２）（右画素２０４における緑の第２のグレー値）×０．１２５（ＦＧＬ）
＋ＧＬ（３，１）（上画素２３における緑の第２のグレー値）×０．１２５（ＢＧＬ）
＋ＧＬ（３，３）（下画素２９における緑の第２のグレー値）×０．１２５（ＨＧＬ）
【００５３】
さらに例を挙げて説明すれば、緑サブピクセル２８２の表示に必要な補正グレー値Ｇ’Ｌ（２，３）は以下のように計算する。
ＧＬ（２，３）（画素２８における緑の第２のグレー値）×０．５（ＥＧＬ）
＋ＧＬ（１，３）（左画素２７における緑の第２のグレー値）×０．１２５（ＤＧＬ）
＋ＧＬ（３，３）（右画素２９における緑の第２のグレー値）×０．１２５（ＦＧＬ）
＋ＧＬ（２，２）（上画素２５における緑の第２のグレー値）×０．１２５（ＢＧＬ）
＋ＧＬ（２，４）（下画素２１０２における緑の第２のグレー値）×０．１２５（ＨＧＬ）
【００５４】
このように、低いグレー値である第２のグレー値を用いて暗状態表示を行う第２組の各緑サブピクセルの表示に必要な補正グレー値Ｇ’Ｌ（ｎ，ｍ）を計算して得ることができる。
【００５５】
青サブピクセルの中間調表示にも補正を行って補正グレー値を得る。図１０に示す第１組の青サブピクセルに対して、ルックアップテーブルであるデータベースを、青のフィルタテーブルとして設定する。これは、それぞれＡＢＨと、ＢＢＨと、ＣＢＨと、ＤＢＨと、ＥＢＨと、ＦＢＨと、ＧＢＨと、ＨＢＨと、ＩＢＨの九つの重み値を持つ３×３のマトリックスを備えている。各重み値は、必要に応じて適宜決定することができる。九つの重み値はそれぞれ、中心に位置する画素に対する青の第１のグレー値と、その周囲に隣接する八つの画素に対する青の第１のグレー値に対応している。上記した緑サブピクセルの表示に対する補正グレー値の計算方式と同様に、明状態表示である第１組の各青サブピクセルの表示に必要な補正グレー値Ｂ’Ｈ（ｎ，ｍ）を、下記の計算式によって得ることができる。
【００５６】
【数５】
2006285238.tif 000007
【００５７】
式中、ＢＨ（ｎ−１，ｍ−１）と、ＢＨ（ｎ−１，ｍ）と、ＢＨ（ｎ−１，ｍ＋１）と、ＢＨ（ｎ，ｍ−１）と、ＢＨ（ｎ，ｍ）と、ＢＨ（ｎ，ｍ＋１）と、ＢＨ（ｎ＋１，ｍ−１）と、ＢＨ（ｎ＋１，ｍ）と、ＢＨ（ｎ＋１，ｍ＋１）はそれぞれマトリックス状に位置する九個の画素の青サブピクセルの第１のグレー値を示す。
【００５８】
図１１に示す第２組の青サブピクセルに対しても、ルックアップテーブルである他のデータベースを、青のフィルタテーブルとして設定する。これも、それぞれＡＢＬと、ＢＢＬと、ＣＢＬと、ＤＢＬと、ＥＢＬと、ＦＢＬと、ＧＢＬと、ＨＢＬと、ＩＢＬの九つの重み値を持つ３×３のマトリックスを備えている。この九つの重み値の合計値は１である。各重み値は、必要に応じて適宜決定することができる。九つの重み値はそれぞれ、中心に位置する画素に対する青の第２のグレー値と、その周囲に隣接する八つの画素に対する青の第２のグレー値に対応している。上記した緑サブピクセルの表示に対する補正グレー値の計算方式と同様に、暗状態表示である第２組の各青サブピクセルの表示に必要な補正グレー値Ｂ’Ｌ（ｎ，ｍ）を、下記の計算式によって得ることができる。
【００５９】
【数６】
2006285238.tif 000008
【００６０】
式中、ＢＬ（ｎ−１，ｍ−１）と、ＢＬ（ｎ−１，ｍ）と、ＢＬ（ｎ−１，ｍ＋１）と、ＢＬ（ｎ，ｍ−１）と、ＢＬ（ｎ，ｍ）と、ＢＬ（ｎ，ｍ＋１）と、ＢＬ（ｎ＋１，ｍ−１）と、ＢＬ（ｎ＋１，ｍ）と、ＢＬ（ｎ＋１，ｍ＋１）は、それぞれマトリックス状に位置する九個の画素の青サブピクセルの第２のグレー値を示す。
【００６１】
このように、第１組の各青サブピクセルおよび第２組の各青サブピクセルが表示する補正グレー値Ｂ’Ｈ（ｎ，ｍ），Ｂ’Ｌ（ｎ，ｍ）をそれぞれ計算して得ることができる。例を挙げて説明すれば、対応する重みはＡＢＨ＝０と、ＢＢＨ＝０．１２５と、ＣＢＨ＝０と、ＤＢＨ＝０．１２５と、ＥＢＨ＝０．５と、ＦＢＨ＝０．１２５と、ＧＢＨ＝０と、ＨＢＨ＝０．１２５と、ＩＢＨ＝０とすることができる。また、ＡＢＬ＝０と、ＢＢＬ＝０．１２５と、ＣＢＬ＝０と、ＤＢＬ＝０．１２５と、ＥＢＬ＝０．５と、ＦＢＬ＝０．１２５と、ＧＢＬ＝０と、ＨＢＬ＝０．１２５と、ＩＢＬ＝０とすることができ、図１２では、図８ないし図１１中におけるサブピクセル２５２と、２５３と、２６２と、２６３と、２８２と、２８３と、２９２と、２９３が補正後に表示すべき補正グレー値の例を記している。
【００６２】
最後に、フレーム期間内にて、上記得られた各色のサブピクセルに対する補正グレー値に対応する複数の電圧で、各サブピクセルをそれぞれ駆動し、一つのフレーム期間の画面表示を完成させる。図１３は、図３に示すストライプ（ｓｔｒｉｐｅ）型液晶表示装置を用い、上記した補正済みの中間調表示を行った表示結果を示しており、第１のグレー値である明状態表示信号によって駆動されるサブピクセルと、第２のグレー値である暗状態表示信号によって駆動されるサブピクセルを区別して示している。図中、斜線は暗状態表示信号での駆動を示している。暗状態表示信号で駆動するサブピクセルは、画面中に均一に配置されており、特定の領域に集中することがない。図２に示すような、従来技術で生じる画面上での明暗が不均一となる現象を解決することができる。また同時に明状態表示信号および暗状態表示信号で駆動して色ずれおよび視野角についての効果を良好に保持することができる。
【００６３】
上記具体的な実施例中においては赤サブピクセルに対応する表示のグレー値には補正処理を行っていない。なぜならば、三原色のなかにおいて、赤は視角が異なることに伴って生じる色ずれの程度が最も小さいことから、赤の色ずれ補正を省略することができ、基本グレー値を直接用いて表示し、画素を共有することなく、入力データに近い画質を得ることができているからである。
【００６４】
（実施例２）
本発明を実施した表示方法の他の具体的な実施例を説明する。ここでは、図３に示すようなストライプ型液晶表示装置を用いる。この実施例では、緑サブピクセルおよび青サブピクセルが表示するグレー値を実施例１のように補正するとともに、赤サブピクセルが表示するグレー値も補正する。
【００６５】
図１４、図１５に示すように、赤サブピクセルを第１組の赤サブピクセルと第２組の赤サブピクセルとに組分けする。図１４は、第１組の赤サブピクセルを示している。図中では、第１組の赤サブピクセルをＲＨで示す。図１４に示す第１組の赤サブピクセルは、主に高いグレー値である第１のグレー値を表示する。第１組の赤サブピクセルが形成するマトリックス配列では、例えば赤サブピクセル２２１と赤サブピクセル２０１１とが、緑サブピクセル２２２と、青サブピクセル２２３と、赤サブピクセル２３１と、緑サブピクセル２３２と、青サブピクセル２３３の五つのサブピクセルを隔てて位置しているというように、各々の行中において、赤サブピクセル同士が五つのサブピクセルを隔てて位置している。さらに、隣接する二行においては、赤サブピクセルの位置が列方向にずれており、行方向に隣接していない。例えば、第１行の赤サブピクセル２２１、２０１１、２０３１は、第２行の赤サブピクセル２４１、２６１、２０５１互いに列方向にずれており、行方向に隣接していない。
図１５は、第２組の赤サブピクセルを示している。図中では、第２組の赤サブピクセルをＲＬで示す。第２組の赤サブピクセルは、残りの赤サブピクセルで構成されている。第２組の赤サブピクセルは、主に低いグレー値である第２のグレー値を表示する。第２組の各赤サブピクセルの配列は、第１組の赤サブピクセルに近似しており、互いに隣接していない。
【００６６】
次に、ルックアップテーブルであるデータベースを、赤のフィルタテーブルとして設定する。これは、それぞれＡＲＨと、ＢＲＨと、ＣＲＨと、ＤＲＨと、ＥＲＨと、ＦＲＨと、ＧＲＨと、ＨＲＨと、ＩＲＨなどの九つの重み値を持つ３×３のマトリックスを備えている。各重み値は、必要に応じて適宜決定することができる。この九つの重み値の合計値は１である。例えば、図６に示す九マスの形式で見ると、この九つの重み値はそれぞれ、中心に位置する画素に対する赤の第１のグレー値と、その周囲に隣接する八つの画素に対する赤の第１のグレー値に対応している。第１組の各赤サブピクセルの表示に必要な補正グレー値Ｒ’Ｈ（ｎ，ｍ）は下記式で計算することができる。
【００６７】
【数７】
2006285238.tif 000009
【００６８】
式中、ＲＨ（ｎ−１，ｍ−１）と、ＲＨ（ｎ−１，ｍ）と、ＲＨ（ｎ−１，ｍ＋１）と、ＲＨ（ｎ，ｍ−１）と、ＲＨ（ｎ，ｍ）と、ＲＨ（ｎ，ｍ＋１）と、ＲＨ（ｎ＋１，ｍ−１）と、ＲＨ（ｎ＋１，ｍ）と、ＲＨ（ｎ＋１，ｍ＋１）は、それぞれマトリックス状に位置する九個の画素の赤サブピクセルの第１のグレー値を示す。
【００６９】
例を挙げて説明すれば、各重み値は、ＡＲＨ＝０と、ＢＲＨ＝０．１２５と、ＣＲＨ＝０と、ＤＲＨ＝０．１２５と、ＥＲＨ＝０．５と、ＦＲＨ＝０．１２５と、ＧＲＨ＝０と、ＨＲＨ＝０．１２５と、ＩＲＨ＝０とすることができる。この場合、赤サブピクセル２６１の表示に必要な補正グレー値Ｒ’Ｈ（２，３）は以下のように計算する。
ＲＨ（２，３）（画素２６における赤の第１のグレー値）×０．５（ＥＲＨ）
＋ＲＨ（２，２）（左画素２５における赤の第１のグレー値）×０．１２５（ＤＲＨ）
＋ＲＨ（４，２）（右画素２０４における赤の第１のグレー値）×０．１２５（ＦＲＨ）
＋ＲＨ（３，１）（上画素２３における赤の第１のグレー値）×０．１２５（ＢＲＨ）
＋ＲＨ（３，３）（下画素２９における赤の第１のグレー値）×０．１２５（ＨＲＨ）
【００７０】
このように、高いグレー値を用いて明状態表示を行う第１組の各赤サブピクセルの表示に必要な補正グレー値Ｒ’Ｈ（ｎ，ｍ）を計算して得ることができる。
【００７１】
また、第２組の赤サブピクセルに対しても、ルックアップテーブルである他のデータベースを、赤の他のフィルタテーブルとして設定する。これは、それぞれＡＲＬと、ＢＲＬと、ＣＲＬと、ＤＲＬと、ＥＲＬと、ＦＲＬと、ＧＲＬと、ＨＲＬと、ＩＲＬなどの九つの重み値を持つ３×３のマトリックスを備えている。この九つの重み値の合計値は１である。各重み値は必要に応じて適宜決定することができる。例えば、図６に示す九マスの形式で見ると、この九つの重み値はそれぞれ、中心に位置する画素に対する赤の第２のグレー値と、その周囲に隣接する八つの画素に対する赤の第２のグレー値に対応している。第２組の各赤サブピクセルの表示に必要な補正グレー値Ｒ’Ｌ（ｎ，ｍ）は下記式で計算することができる。
【００７２】
【数８】
2006285238.tif 000010
【００７３】
式中、ＲＬ（ｎ−１，ｍ−１）と、ＲＬ（ｎ−１，ｍ）と、ＲＬ（ｎ−１，ｍ＋１）と、ＲＬ（ｎ，ｍ−１）と、ＲＬ（ｎ，ｍ）と、ＲＬ（ｎ，ｍ＋１）と、ＲＬ（ｎ＋１，ｍ−１）と、ＲＬ（ｎ＋１，ｍ）と、ＲＬ（ｎ＋１，ｍ＋１）は、それぞれマトリックス状に位置する九個の画素の赤サブピクセルの第２のグレー値を示している。
【００７４】
例を挙げて説明すれば、例えば対応する重み値は、ＡＲＬ＝０と、ＢＲＬ＝０．１２５と、ＣＲＬ＝０と、ＤＲＬ＝０．１２５と、ＥＲＬ＝０．５と、ＦＲＬ＝０．１２５と、ＧＲＬ＝０と、ＨＲＬ＝０．１２５と、ＩＲＬ＝０とすることができる。この場合、赤サブピクセル２５１の表示に必要な補正グレー値Ｒ’Ｌ（２，２）は以下のように計算する。
ＲＬ（２，２）（画素２５における赤の第２のグレー値）×０．５（ＥＲＬ）
＋ＲＬ（１，２）（左画素２４における赤の第２のグレー値）×０．１２５（ＤＲＬ）
＋ＲＬ（３，２）（右画素２６における赤の第２のグレー値）×０．１２５（ＦＲＬ）
＋ＲＬ（２，１）（上画素２２における赤の第２のグレー値）×０．１２５（ＢＲＬ）
＋ＲＬ（２，３）（下画素２８における赤の第２のグレー値）×０．１２５（ＨＲＬ）
【００７５】
このように、低いグレー値である第２のグレー値を用いて暗状態表示を行う第２組の各赤サブピクセルの表示に必要な補正グレー値Ｒ’Ｌ（ｎ，ｍ）を計算して得ることができる。
【００７６】
図１６は、図８から図１１、図１４、図１５に示すサブピクセル２５１、２５２、２５３、２６１、２６２、２６３、２８２、２８３、２９２、２９３が補正後に表示すべき補正グレー値の例を示している。
【００７７】
最後に、フレーム期間内にて、上記得られた赤と、緑と、青の各色のサブピクセルに対する補正グレー値に対応する複数の電圧で、各サブピクセルをそれぞれ駆動し、一つのフレーム期間の画面表示を完成させる。図１７は、図３に示すようなストライプ（ｓｔｒｉｐｅ）型液晶表示装置を用い、上記した補正済みの中間調表示による画面の表示結果を示しており、第１のグレー値である明状態表示信号によって駆動されるサブピクセルと、第２のグレー値である暗状態表示信号によって駆動されるサブピクセルを区別して示している。図中、斜線は暗状態表示信号での駆動を示している。暗状態表示信号で駆動するサブピクセルは、画面中に均一に配置されており、特定の領域に集中することがない。図２に示すような、従来技術で生じる画面上での明暗が不均一となる現象を解決することができる。また同時に明状態表示信号および暗状態表示信号で駆動して色ずれおよび視野角についての効果を良好に保持することができる。さらに、実施例１のように緑サブピクセルと青サブピクセルの中間調表示のみを補正する結果に比べて、より良好な視野角と色ずれの改善が得られる。
【００７８】
（実施例３）
図１８を参照されたい。本発明を実施した表示方法の他の実施例を説明する。本実施例の表示方法は、図４に示すようなｓｉｌｋｙ型液晶表示装置を使用する。液晶表示装置はまず、一つのフレーム期間内における複数の画像データを入力する。画像データは、各画素がそのフレーム期間内に所定の中間調を表示するためのデータを記述している。液晶表示装置は、入力した画像データから、各色の基本グレー値を決定する。
【００７９】
続いて、各サブピクセルの表示に対する補正グレー値を設定する。各々の画素における二つの赤サブピクセルは、同じデータ線４０で信号を入力する。即ち、各々の画素における二つの赤サブピクセルは、同じグレー値を表示する。
【００８０】
次に、複数の数値を含むデータベースであるルックアップテーブルを設定する。ここでは、それぞれＡＲと、ＢＲと、ＣＲと、ＤＲと、ＥＲと、ＦＲと、ＧＲと、ＨＲと、ＩＲの九つの重み値を持つ３×３のマトリックスを例に挙げて説明する。この九つの重み値の合計値は１である。各重み値は必要に応じて適宜決定することができる。例えば、図６に示す九マスの形式で見ると、この九つの重み値はそれぞれ、中心に位置する画素に対する赤の基本グレー値と、その周囲に隣接する八つの画素に対する赤の基本グレー値に対応している。ここで留意すべきは、ｓｉｌｋｙ型という特殊な配列であるため、各赤サブピクセルの左右上下に位置する四つの画素中に、赤サブピクセルが存在しないことがあり得ることである。
【００８１】
次に、図１９に示すように、全ての赤サブピクセルを一つの組とし、各赤サブピクセルの表示に必要なグレー値を計算する。ここでは、これを補正グレー値Ｒ’（ｎ，ｍ）と呼ぶ。コンピュータ等のデータ処理手段を用いて計算を行なうとともに、結果をメモリに保存することができる。計算式は以下のとおりである。
【００８２】
【数９】
2006285238.tif 000011
【００８３】
式中、Ｒ（ｎ−１，ｍ−１）と、Ｒ（ｎ−１，ｍ）と、Ｒ（ｎ−１，ｍ＋１）と、Ｒ（ｎ，ｍ−１）と、Ｒ（ｎ，ｍ）と、Ｒ（ｎ，ｍ＋１）と、Ｒ（ｎ＋１，ｍ−１）と、Ｒ（ｎ＋１，ｍ）と、Ｒ（ｎ＋１，ｍ＋１）は、それぞれマトリックス状に位置する九個の画素の赤サブピクセルの基本グレー値を示す。
【００８４】
青サブピクセルにも類似の補正処理を行なう。各々の画素中における二つの青サブピクセルは同じデータ線４２で信号を受信する。即ち、各々の画素における二つの赤サブピクセルは、同じグレー値を表示する。
【００８５】
複数の数値を含むデータベースとしてのルックアップテーブルを設定する。ここでは、それぞれＡＢと、ＢＢと、ＣＢと、ＤＢと、ＥＢと、ＦＢと、ＧＢと、ＨＢと、ＩＢの九つの重み値を持つ３×３のマトリックスを例に挙げて説明する。この九つの重み値の合計値は１である。各重み値は必要に応じて適宜決定することができる。例えば、図６に示す九マスの形式で見ると、この九つの重み値はそれぞれ、中心に位置する画素に対する青の基本グレー値と、その周囲に隣接する八つの画素に対する青の基本グレー値に対応している。
【００８６】
次に、図２０に示すように、全ての青サブピクセルを一つの組として、各青サブピクセルの表示に必要なグレー値を計算する。ここでは、これを補正グレー値Ｂ’（ｎ，ｍ）と呼ぶ。コンピュータ等のデータ処理手段を用いて計算を行なうとともに、結果をメモリに保存することができる。計算式は以下のとおりである。
【００８７】
【数１０】
2006285238.tif 000012
【００８８】
式中、Ｂ（ｎ−１，ｍ−１）と、Ｂ（ｎ−１，ｍ）と、Ｂ（ｎ−１，ｍ＋１）と、Ｂ（ｎ，ｍ−１）と、Ｂ（ｎ，ｍ）と、Ｂ（ｎ，ｍ＋１）と、Ｂ（ｎ＋１，ｍ−１）と、Ｂ（ｎ＋１，ｍ）と、Ｂ（ｎ＋１，ｍ＋１）は、それぞれマトリックス状に位置する九個の画素の青サブピクセルの基本グレー値を示す。
【００８９】
緑サブピクセルの中間調表示は補正することなく、画像データが記述する緑の基本グレー値をそのまま（補正グレー値として）用いる。
【００９０】
最後に、フレーム期間内にて、上記得られた赤と、緑と、青の各色のサブピクセルに対する補正グレー値（緑については基本グレー値）に対応する複数の電圧で、対応するサブピクセルをそれぞれ駆動し、一つのフレーム期間の画面表示を完成させる。
【００９１】
このように補正する表示方式では、３３．３３％のデータドライバ（ｄａｔａ  ｄｒｉｖｅｒ）を削減することができ、より経済的である。
【００９２】
（実施例４）
本発明を実施した表示方法の他の実施例を説明する。本実施例の表示方法は、図４に示すようなｓｉｌｋｙ型液晶表示装置３０を使用する。図２１に示すように、液晶表示装置３０はまず、一つのフレーム期間内における複数の画像データを入力し、画像データを赤と、緑と、青の三色の基本グレー値に分ける。Ｒ（ｎ，ｍ）と、Ｇ（ｎ，ｍ）と、Ｂ（ｎ，ｍ）は、各画素位置（ｎ，ｍ）における赤と、緑と、青の三色の基本グレー値を表す。ｎおよびｍはそれぞれ正の整数である。
【００９３】
その後、各色の基本グレー値に基づいて、各色に対して用意されているルックアップテーブル（図５に示すとおり）を参照して、それぞれ第１のグレー値および第２のグレー値を得る。例えばＲ（ｎ，ｍ）に基づいて、ＲＨ（ｎ，ｍ）とＲＬ（ｎ，ｍ）を得る。また、Ｇ（ｎ，ｍ）に基づいてＧＨ（ｎ，ｍ）とＧＬ（ｎ，ｍ）を得る。また、Ｂ（ｎ，ｍ）に基づいてＢＨ（ｎ，ｍ）とＢＬ（ｎ，ｍ）を得る。
【００９４】
次に、図２２、図２３に示すように、緑サブピクセルを、第１組の緑サブピクセルと第２組の緑サブピクセルとに組分けする。図２２は、第１組の緑サブピクセルを示している。図中では、第１組の緑サブピクセルをＧＨで示す。第１組の緑サブピクセルは、主に高いグレー値である第１のグレー値を表示する。第１組の緑サブピクセルが形成するマトリックス配列では、例えば緑サブピクセル３４２と緑サブピクセル３６２とが、青サブピクセル３４３と、赤サブピクセル３５１と、緑サブピクセル３５２と、赤サブピクセル３５３と、青サブピクセル３６１の五つのサブピクセルを隔てて位置しているというように、各々の行中において、緑サブピクセル同士が五つのサブピクセルを隔てて位置している。さらに、隣接する二行においては、緑サブピクセルの位置が列方向にずれており、行方向に隣接していない。例えば、第１行の緑サブピクセル３２２、３０１２、３０３２と、第２行の緑サブピクセル３４２、３６２、３０５２は、互いに列方向にずれて位置しており、行方向に隣接していない。
【００９５】
図２３は、第２組の緑サブピクセルを示している。図中では、第２組の緑サブピクセルをＧＬで示す。第２組の緑サブピクセルは、残りの緑サブピクセルで構成されている。第２組の緑サブピクセルは、主に低いグレー値である第２のグレー値を表示する。各緑サブピクセルの配列は、第１組の緑サブピクセルに近似しており、各々の行中において、緑サブピクセル同士が五つのサブピクセルを隔てて位置している。そして、隣接する二行においては、緑サブピクセルの位置が列方向にずれ低地しており、行方向に隣接していない。
【００９６】
また、図２４、図２５に示すように、青サブピクセルを、第１組の青サブピクセルと第２組の青サブピクセルとに組分けする。図２４は、第１組の青サブピクセルを示している。図中では、第１組の青サブピクセルをＢＨで示す。第１組の青サブピクセルは、主に高いグレー値である第１のグレー値を表示する。第１組の青サブピクセルが形成するマトリックス配列では、各々の行において、青サブピクセル同士が五つのサブピクセルを隔てて位置している。さらに、隣接する二行においては、青サブピクセルの位置が列方向にずれて位置しており、行方向に隣接していない。
図２５は、第２組の青サブピクセルを示している。図中では、第２組の青サブピクセルをＢＬで示す。第２組の青サブピクセルは、残りの青サブピクセルで構成されている。第２組の青サブピクセルは、主に低いグレー値である第２のグレー値を表示する。第２組の青サブピクセルの配列は、第１組の青サブピクセルの配列に近似している。即ち、第２組の青サブピクセル同士は、列方向において五つのサブピクセルを隔てて位置しているとともに、行方向にも隣接していない。
【００９７】
次に、各サブピクセルの表示に対する補正グレー値を設定する。ここで、赤サブピクセルの中間調表示は補正しない。即ち、画像データが記述する赤の基本グレー値をそのまま用いる。
【００９８】
一方、緑サブピクセルおよび青サブピクセルの表示中間調（補正グレー値）は下記のように設定する。
ルックアップテーブルであるデータベースを、緑のフィルタテーブルとして設定する。これは、それぞれＡＧＨと、ＢＧＨと、ＣＧＨと、ＤＧＨと、ＥＧＨと、ＦＧＨと、ＧＧＨと、ＨＧＨと、ＩＧＨの九つの重み値を持つ３×３のマトリックスを備えている。この九つの重み値の合計値は１である。各重み値は、必要に応じて適宜決定することができる。例えば、図６に示す九マスの形式で見ると、この九つの重み値はそれぞれ、中心に位置する画素に対する緑の第１のグレー値と、その周囲に隣接する八つの画素に対する緑の第１のグレー値に対応している。第１組の各緑サブピクセルの表示に必要な補正グレー値Ｇ’Ｈ（ｎ，ｍ）は、前記した式３を用いて計算することができる。
【００９９】
例を挙げて説明すれば、例えば各重み値は、ＡＧＨ＝０と、ＢＧＨ＝０．１２５と、ＣＧＨ＝０と、ＤＧＨ＝０．１２５と、ＥＧＨ＝０．５と、ＦＧＨ＝０．１２５と、ＧＧＨ＝０と、ＨＧＨ＝０．１２５と、ＩＧＨ＝０とすることができる。この場合、緑サブピクセル３６２の表示に必要な補正グレー値Ｇ’Ｈ（３，２）は以下のように計算する。
ＧＨ（３，２）（緑の画素３６２における第１のグレー値）×０．５（ＥＧＨ）
＋ＧＨ（２，２）（左画素３５における緑の第１のグレー値）×０．１２５（ＤＧＨ）
＋ＧＨ（４，２）（右画素３０４における緑の第１のグレー値）×０．１２５（ＦＧＨ）
＋ＧＨ（３，１）（上画素３３における緑の第１のグレー値）×０．１２５（ＢＧＨ）
＋ＧＨ（３，３）（下画素３９における緑の第１のグレー値）×０．１２５（ＨＧＨ）
【０１００】
このように、第１のグレー値を用いて明状態表示を行う第１組の各緑サブピクセルの表示に必要な補正グレー値Ｇ’Ｈ（ｎ，ｍ）を計算して得ることができる。
【０１０１】
また、第２組の緑サブピクセルに対しても、ルックアップテーブルである他のデータベースを、緑の他のフィルタテーブルとして設定する。これは、それぞれＡＧＬと、ＢＧＬと、ＣＧＬと、ＤＧＬと、ＥＧＬと、ＦＧＬと、ＧＧＬと、ＨＧＬと、ＩＧＬの九つの重み値を持つ３×３のマトリックスを備えている。この九つの重み値の合計値は１である。各重み値は必要に応じて適宜決定することができる。例えば、図６に示す九マスの形式で見ると、この九つの重み値はそれぞれ、中心に位置する画素に対する緑の第２のグレー値と、その周囲に隣接する八つの画素に対する緑の第２のグレー値に対応している。第２組の各緑サブピクセルの表示に必要な補正グレー値Ｇ’Ｌ（ｎ，ｍ）は、前記した式４を用いて計算して得ることができる。
【０１０２】
青サブピクセルの中間調表示にも補正を行って補正中間調（補正グレー値）を得る。第１組の青サブピクセルに対して、ルックアップテーブルであるデータベースを、青のフィルタテーブルとして設定する。これは、それぞれＡＢＨと、ＢＢＨと、ＣＢＨと、ＤＢＨと、ＥＢＨと、ＦＢＨと、ＧＢＨと、ＨＢＨと、ＩＢＨの九つの重み値を持つ３×３のマトリックスを備えている。各重み値は必要に応じて決定することができる。九つの重み値は、中心に位置する画に対する青の第１のグレー値と、その周囲に隣接する八つの画素に対する青の第１のグレー値に対応している。明状態表示を行う第１組の各青サブピクセルの表示に必要な補正グレー値Ｂ’Ｈ（ｎ，ｍ）は、前記した式５を用いて計算して得ることができる。
【０１０３】
第２組の青サブピクセルに対しても、ルックアップテーブルである他のデータベースを、青のフィルタテーブルとして設定する。これも、それぞれＡＢＬと、ＢＢＬと、ＣＢＬと、ＤＢＬと、ＥＢＬと、ＦＢＬと、ＧＢＬと、ＨＢＬと、ＩＢＬの九つの重み値を持つ３×３のマトリックスを備えている。この九つの重み値の合計値は１である。各重み値は必要に応じて適宜決定することができる。九つの重み値は、中心に位置する画素に対する青の第２のグレー値と、その周囲に隣接する八つの画素に対する青の第２のグレー値に対応している。暗状態表示を行う第２組の各青サブピクセルの表示に必要な補正グレー値Ｂ’Ｌ（ｎ，ｍ）は、式６を用いて計算して得ることができる。
【０１０４】
このように、第１組の各青サブピクセルと第２組の各青サブピクセルが表示する補正グレー値をそれぞれ計算して得ることができる。例を挙げて説明すれば、たとえば各重み値は、ＡＢＨ＝０と、ＢＢＨ＝０．１２５と、ＣＢＨ＝０と、ＤＢＨ＝０．１２５と、ＥＢＨ＝０．５と、ＦＢＨ＝０．１２５と、ＧＢＨ＝０と、ＨＢＨ＝０．１２５と、ＩＢＨ＝０とすることができる。また、ＡＢＬ＝０と、ＢＢＬ＝０．１２５と、ＣＢＬ＝０と、ＤＢＬ＝０．１２５と、ＥＢＬ＝０．５と、ＦＢＬ＝０．１２５と、ＧＢＬ＝０と、ＨＢＬ＝０．１２５と、ＩＢＬ＝０とすることができる。図２６は、図２２から図２５に示すサブピクセル３５２、３６１、３６２、３６３、３８１、３８２、３８３、３９２が補正後に表示すべき補正グレー値の例を示している。
【０１０５】
さらに、赤サブピクセルの基本グレー値に補正を行って補正グレー値を得る。各画素において左側に位置する第１組の赤サブピクセルに対して、ルックアップテーブルである他のデータベースを、赤のフィルタテーブルとして設定する。これは、それぞれＡＲ１と、ＢＲ１と、ＣＲ１と、ＤＲ１と、ＥＲ１と、ＦＲ１と、ＧＲ１と、ＨＲ１と、ＩＲ１の九つの重み値を持つ３×３のマトリックスを備えている。各重み値は必要に応じて適宜決定することができる。九つの重み値は、中心に位置する画素に対する赤の基本グレー値と、その周囲に隣接する八つの画素に対する赤の基本グレー値に対応している。例えば、図６に示す九マスの形式で見ると、この九つの重み値はそれぞれ、中心に位置する画素に対する赤の基本グレー値と、その周囲に隣接する八つの画素に対する赤の基本グレー値に対応している。第１組の各赤サブピクセルの表示に必要な補正グレー値Ｒ’１（ｎ，ｍ）は下記式で計算することができる。
【０１０６】
【数１１】
2006285238.tif 000013
【０１０７】
式中、Ｒ（ｎ−１，ｍ−１）と、Ｒ（ｎ−１，ｍ）と、Ｒ（ｎ−１，ｍ＋１）と、Ｒ（ｎ，ｍ−１）と、Ｒ（ｎ，ｍ）と、Ｒ（ｎ，ｍ＋１）と、Ｒ（ｎ＋１，ｍ−１）と、Ｒ（ｎ＋１，ｍ）と、Ｒ（ｎ＋１，ｍ＋１）は、それぞれマトリックス状に位置する九個の画素の赤サブピクセルの基本グレー値を示す。
【０１０８】
画素の右側に位置する第２組の赤サブピクセルに対しても、ルックアップテーブルである他のデータベースを、赤のフィルタテーブルとして設定する。これは、それぞれＡＲ２と、ＢＲ２と、ＣＲ２と、ＤＲ２と、ＥＲ２と、ＦＲ２と、ＧＲ２と、ＨＲ２と、ＩＲ２の九つの重み値を持つ３×３のマトリックスを備えている。各重み値は必要に応じて適宜決定することができる。九つの重み値は、中心に位置する画素に対する赤の基本グレー値と、その周囲に隣接する八つの画素に対する赤の基本グレー値に対応している。例えば、図６に示す九マスの形式で見ると、この九つの重み値はそれぞれ、中心に位置する画素に対する赤の基本グレー値と、その周囲に隣接する八つの画素が対応する赤の基本グレー値に対応している。第２組の各赤サブピクセルの表示に必要な補正グレー値Ｒ’２（ｎ，ｍ）は下記式で計算することができる。
【０１０９】
【数１２】
2006285238.tif 000014
【０１１０】
式中、Ｒ（ｎ−１，ｍ−１）と、Ｒ（ｎ−１，ｍ）と、Ｒ（ｎ−１，ｍ＋１）と、Ｒ（ｎ，ｍ−１）と、Ｒ（ｎ，ｍ）と、Ｒ（ｎ，ｍ＋１）と、Ｒ（ｎ＋１，ｍ−１）と、Ｒ（ｎ＋１，ｍ）と、Ｒ（ｎ＋１，ｍ＋１）は、それぞれマトリックス状に位置する九個の画素の赤サブピクセルの基本グレー値を示す。
【０１１１】
例を挙げて説明すれば、例えば図２８のように、第１組の赤サブピクセル用の赤フィルタテーブルが、ＡＲ１＝０．０６２５と、ＢＲ１＝０．０６２５と、ＣＲ１＝０と、ＤＲ１＝０．３７５と、ＥＲ１＝０．３７５と、ＦＲ１＝０と、ＧＲ１＝０．０６２５と、ＨＲ１＝０．０６２５と、ＩＲ１＝０のとする。この場合、画素中における左側の赤サブピクセル３５１が表示する補正グレー値Ｒ’１（２，２）は、下記のように計算される。
Ｒ’１（２，２）＝Ｒ（２，２）×０．３７５＋Ｒ（１，２）×０．３７５＋Ｒ（２，１）×０．０６２５＋Ｒ（２，３）×０．０６２５＋Ｒ（１，１）×０．０６２５＋Ｒ（１，３）×０．０６２５
一方、図２８に示すように、第２組の赤サブピクセル用の赤フィルタテーブルが、ＡＲ２＝０と、ＢＲ２＝０．０６２５と、ＣＲ２＝０．０６２５と、ＤＲ２＝０と、ＥＲ２＝０．３７５と、ＦＲ２＝０．３７５と、ＧＲ２＝０と、ＨＲ２＝０．０６２５と、ＩＲ２＝０．０６２５のとき、画素中における右側の赤サブピクセル３５３が表示する補正グレー値Ｒ’２（２，２）は、下記のように計算される。
Ｒ’２（２，２）＝Ｒ（２，２）×０．３７５＋Ｒ（３，２）×０．３７５＋Ｒ（２，１）×０．０６２５＋Ｒ（２，３）×０．０６２５＋Ｒ（３，１）×０．０６２５＋Ｒ（３，３）×０．０６２５
【０１１２】
図２９は、図２２から図２５に示すサブピクセル３５１、３５２、３５３、３６１、３６２、３６３、３８１、３８２、３８３、３９２が補正後に表示すべき補正グレー値の例を示している。
【０１１３】
最後に、フレーム期間内にて、上記得られた各色のサブピクセルに対する補正グレー値に対応する複数の電圧によって各サブピクセルをそれぞれ駆動し、一つのフレーム期間の画面表示を完成させる。このように補正済みの表示中間調により、画面の表示は図２７に示すようになる。図中、斜線は暗状態表示信号によって駆動されるサブピクセルを示している。暗状態表示信号で駆動するサブピクセルが画面中に均一に配置されており、特定の領域に集中することがなく、輝度分布が最適化されている。図２に示すように、従来技術において画面上で明暗が不均一となる現象を解決することができる。また同時に、明状態表示信号および暗状態表示信号で駆動して色ずれおよび視野角についての効果を良好に保持することができる。
【０１１４】
本実施例では、赤サブピクセルが表示する基本グレー値について、第１のグレー値と第２のグレー値を用いた視角の色ずれ補正処理を行っていない。なぜならば、三原色の中で、赤は視角が異なることに伴って生じる色ずれの程度が最も小さいことから、赤の色ずれ補正は省略することが可能であり、基本グレー値を直接用いて表示し、画素を共有することなく、入力データに近い画質を得ることができているからである。
【０１１５】
一方、本実施例では、赤サブピクセルのグレー値についても補正を行なってもよい。即ち、赤サブピクセルについて第１のグレー値と第２のグレー値を定め、それぞれについて補正グレー値を得る。第１グレー値を用いて明状態表示を行う第１組の赤サブピクセルに対して、ルックアップテーブルであるデータベースを、赤のフィルタテーブルとして設定する。これは、それぞれＡＲＨと、ＢＲＨと、ＣＲＨと、ＤＲＨと、ＥＲＨと、ＦＲＨと、ＧＲＨと、ＨＲＨと、ＩＲＨの九つの重み値を持つ３×３のマトリックスを備えている。各重み値は必要に応じて適宜決定することができる。九つの重み値は、中心に位置する画素に対する赤の第１のグレー値と、その周囲に隣接する八つの画素に対する赤の第１のグレー値に対応している。第１グレー値を用いて明状態表示を行う第１組の各赤サブピクセルの表示に必要な補正グレー値Ｒ’Ｈ（ｎ，ｍ）は、前記した式７を用いて計算して得ることができる。
【０１１６】
第２のグレー値を用いて暗状態表示を行う第２組の赤サブピクセルに対しても、ルックアップテーブルである他のデータベースを、赤のフィルタテーブルとして設定する。これは、それぞれＡＲＬと、ＢＲＬと、ＣＲＬと、ＤＲＬと、ＥＲＬと、ＦＲＬと、ＧＲＬと、ＨＲＬと、ＩＲＬの九つの重み値を持つ３×３のマトリックスを備えている。この九つの重み値の合計値は１である。各重み値は必要に応じて適宜決定することができる。九つの重み値は、中心に位置する画素に対する赤の第２のグレー値と、その周囲に隣接する八つの画素に対する赤の第２のグレー値に対応している。暗状態表示を行う第２組の各赤サブピクセルの表示に必要な補正グレー値Ｒ’Ｌ（ｎ，ｍ）は、前記した式８を用いて計算して得ることができる。
【０１１７】
例を挙げて説明すれば、例えば各重み値は、ＡＲＨ＝０と、ＢＲＨ＝０．１２５と、ＣＲＨ＝０と、ＤＲＨ＝０．１２５と、ＥＲＨ＝０．５と、ＦＲＨ＝０．１２５と、ＧＲＨ＝０と、ＨＲＨ＝０．１２５と、ＩＲＨ＝０とすることができる。また、ＡＲＬ＝０と、ＢＲＬ＝０．１２５と、ＣＲＬ＝０と、ＤＲＬ＝０．１２５と、ＥＲＬ＝０．５と、ＦＲＬ＝０．１２５と、ＧＲＬ＝０と、ＨＲＬ＝０．１２５と、ＩＲＬ＝０とすることができる。
【０１１８】
最後に、フレーム期間内にて、上記のように得られた赤と、緑と、青の各色のサブピクセルに対する補正グレー値に対応する複数の電圧により各サブピクセルをそれぞれ駆動し、一つのフレーム期間の画面表示を完成させる。暗状態表示信号（第２のグレー値を表示するための信号）で駆動されるサブピクセルが画面中に均一に配置されており、特定の領域に集中していないことから、緑サブピクセルと青サブピクセルのみの中間調表示を補正する結果に比べて、さらなる視野角と色ずれの改善が得られる。また同時に明状態表示信号および暗状態表示信号で駆動して色ずれおよび視野角についての効果を良好に保持することができる。
【０１１９】
（実施例５）
ストライプ型又はシルキー（ｓｉｌｋｙ）型配列に関わらず、液晶表示装置は、ＬＣＳモード（Ｌｏｗ  ｃｏｌｏｒ  ｓｈｉｆｔ  ｍｏｄｅ）と、テキストモード（ｔｅｘｔ  ｍｏｄｅ）によって表示することができる。従来の駆動方法では、ストライプ型配列の液晶表示装置をテキストモードで表示することができる。また、ｓｉｌｋｙ型の液晶表示装置をテキストモード（ｔｅｘｔ  ｍｏｄｅ）で表示する場合、マトリックス形式の配列の最も外側の一列のサブピクセルが不活性で使用されないことから、三つのサブピクセルを含む画素位置が一つのサブピクセル分シフトした位置と同等となり、複数の表示画素が構成される。例えば、図３０に示すように、第１列のサブピクセルが不活性で使用されず、緑と、赤と、青のサブピクセルの順で一つの画素を新たに形成される。
【０１２０】
ＬＣＳモードの表示装置を使用すると、ローパスフィルタで画素を共有するということが原因となって、画像エッジ部分はシャープさに欠けるという欠点が生じてしまう。本発明に係る液晶表示装置に使用する表示方法では、使用者が表示の条件を見て切り換える、つまり、スイッチにより、表示方式をＬＣＳモードおよびテキストモードとの間で互いに切り換えることができる。
【０１２１】
本発明に係る液晶表示装置を使用する表示方法では、さらにハイパスフィルタにより画像の空間周波数を分析して、画像の高周波領域と低周波領域とに分ける。画像の高周波領域はつまり画像のエッジ部分を示している。従って、この部分は極力テキストモードの方式で表示し、良好な画像のシャープさを得る。同時に、画像の低周波領域では極力ＬＣＳモードで表示して、視角における色ずれを最良に改善する。このように、ＬＣＳモードおよびテキストモードを結合した表示方法により、グラデーション形式の変化が得られ、目視画像を最適化することができる。この方法について詳細に説明する。
【０１２２】
先ず、一つのフレーム期間内における複数の画像データを入力する。各画像データは、各画素がフレーム期間内に所定のグレー値を表示するように、各画素を制御するためのデータである。入力した画像データが記述するデータを、各色の基本グレー値に分ける。
【０１２３】
次いで、色毎に、ハイパスルックアップテーブルを設定する。このハイパスルックアップテーブルもデータベースであり、複数の数値を含んでいる。ここでは、それぞれＡｆと、Ｂｆと、Ｃｆと、Ｄｆと、Ｅｆと、Ｆｆと、Ｇｆと、Ｈｆと、Ｉｆの九つの重み値である３×３のマトリックスを例として説明する。この九つの重み値は、中心に位置する画素に対する基本グレー値と、その周囲に隣接する八つの画素に対する基本グレー値に対応している。例を挙げて説明すれば、例えば重み値は、Ａｆ＝−１と、Ｂｆ＝−１と、Ｃｆ＝−１と、Ｄｆ＝−１と、Ｅｆ＝８と、Ｆｆ＝−１、Ｇｆ＝−１と、Ｈｆ＝−１と、Ｉｆ＝−１とすることができる。
【０１２４】
このハイパスルックアップテーブルを用い、各々のサブピクセルに関して空間周波数を計算する。サブピクセルの空間周波数Ｆは、基本グレー値とハイパスルックアップテーブルを用いた畳み込み演算によって得られる。計算式は以下のとおりである。
【０１２５】
【数１３】
2006285238.tif 000015
【０１２６】
式中、ｇ１と、ｇ２と、ｇ３と、ｇ４と、ｇ５と、ｇ６と、ｇ７と、ｇ８と、ｇ９は、それぞれ九つの画素の同じ色に関する基本グレー値である。そのなかで、ｇ５は中央に位置する画素の基本グレー値であり、その残りは順に、左上と、上と、右上と、左と、右と、左下と、下と、右下に位置する画素の同じ色に関する基本グレー値である。Ｆは上記式のマトリックス演算後に得られた絶対値である。もしＦ値が所定の閾値Ｔよりも大きい場合には、Ｆ値を閾値Ｔに書き換える。この閾値Ｔは必要に応じて適宜決定でき、例えば５１２といった各種の数値をとることができる。式（１３）で得られるＦ値は、注目する画素に関するグレー値と、その周囲に位置するグレー値との間に差異が生じていると、大きくなる。即ち、空間周波数が高周波領域（エッジ近傍）に位置する画素では大きなＦ値が得られ、低周波領域に位置する画素では小さなＦ値が得られる。
【０１２７】
割り当て重み（Ｗ）＝Ｆ／Ｔを定義する。割り当て重みＷは、Ｆは常に０とＴの間（０およびＴを含む）にあるので、Ｗは０と１との間に分布する（０および１を含む）。
【０１２８】
ここで、本実施例の表示方法において、ＬＣＳモードの出力グレー値をＡとし、テキストモードの出力グレー値をＢとし、それぞれが計算して得られると仮定すると、この重み割り当ての後、得られる出力グレー値（ＯＵＴＰＵＴ）は、
ＯＵＴＰＵＴ＝Ａ×（１−Ｗ）＋Ｂ×Ｗ
となる。
【０１２９】
最後に、フレーム期間内にて、これらの出力グレー値に対応する複数の電圧により各サブピクセルを駆動し、良好な表示が得られる。この表示方法を運用した結果、イメージのエッジ部分に徐々に近づくにつれ、徐々にテキストモードの表示の傾向が強くなるので、エッジの部分は鮮明な画像が得られる。
【０１３０】
また、テキストモードの出力グレー値Ｂを補正することもできる。つまり、テキストモードによるサブピクセルの出力グレー値Ｂを先に補正する。例えば、ルックアップテーブルを用意する。このルックアップテーブルは、一の画素とその周囲の画素に対応する複数の重み値を記述するものとする。そして、ルックアップテーブルを参照し、各画素の出力グレー値Ｂに基づいて、補正した出力グレー値Ｂ’を得る。補正した出力グレー値Ｂ’と、割り当て重み値Ｗを用いて、出力グレー値（ＯＵＴＰＵＴ）を得ることができる。
【０１３１】
本発明を実施した表示方法では、６０ｄｐｉのｓｉｌｋｙ型液晶表示装置を使用したときに、ＬＣＳモードの場合には、ピクチャーモードに対して、肉眼で判別できる距離（ｄｉｓｔａｎｃｅ  ｏｆ  ｊｕｓｔ  ｎｏｔｉｃｅａｂｌｅ  ｄｉｆｆｅｒｅｎｃｅ，Ｊ．Ｎ．Ｄ）が約１００ｃｍとなる。一方、テキストモードの場合には、文字またはピクチャーに対して、肉眼で判別できる距離は約５０ｃｍとなる。この二種類のモードを互いに切り換えまたは自動的に結合するのが最も好ましい。さらに、シルキー（ｓｉｌｋｙ）型のサブピクセル配列方式では、ＬＣＳモードで最もよく肌色が表示される。したがって、本発明を実施した表示方法によって、優れた表示画面を得ることができる。
【０１３２】
留意すべきは、本発明に係る表示方法において、サブピクセルの回路に対する駆動は、例えば図３１に示すように、２×３極性反転形式を採用するとともに、水平でのフィードバックをすることが好ましい。これによりラインフリッカー（ｌｉｎｅ  ｆｌｉｃｋｅｒ）および水平でのクロストーク（ｈｏｒｉｚｏｎｔａｌ  ｃｒｏｓｓｔａｌｋ）の問題を回避することができる。
【０１３３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数の目的を同時に達成するものであり、そのうちの一つの目的を達成すること自体で技術的有用性を持つものである
【図面の簡単な説明】
【０１３４】
【図１】従来の液晶表示装置の画素配列を示す概略図。
【図２】図１の液晶表示装置を従来方法で表示した結果を示す概略図。
【図３】液晶表示装置におけるストライプ型画素配列を示す概略図。
【図４】液晶表示装置におけるシルキー（ｓｉｌｋｙ）型画素配列を示す概略図。
【図５】グレー値を二つのグレー値に分けるルックアップテーブル。
【図６】重み値を有するルックアップテーブルを示す図。
【図７】画像データに対する各画素の赤と、緑と、青のグレー値を示す図。
【図８】ストライプ型液晶表示装置において第１組の緑サブピクセルを示す図。
【図９】ストライプ型液晶表示装置において第２組の緑サブピクセルを示す図。
【図１０】ストライプ型液晶表示装置において第１組の青サブピクセルを示す図。
【図１１】ストライプ型液晶表示装置において第２組の青サブピクセルを示す図。
【図１２】ストライプ型液晶表示装置において各サブピクセルが表示する補正グレー値を示す図（実施例１）。
【図１３】ストライプ型液晶表示装置の表示結果を示す概略図（実施例１）。
【図１４】ストライプ型液晶表示装置において第１組の赤サブピクセルを示す図。
【図１５】ストライプ型液晶表示装置において第２組の赤サブピクセルを示す図。
【図１６】ストライプ型液晶表示装置において各サブピクセルが表示する補正グレー値を示す図（実施例２）。
【図１７】ストライプ型液晶表示装置の表示結果を示す概略図（実施例２）。
【図１８】他の態様のシルキー（ｓｉｌｋｙ）型液晶表示装置を示す概略図。
【図１９】ｓｉｌｋｙ型液晶表示装置における赤サブピクセルの配列を示す図。
【図２０】ｓｉｌｋｙ型液晶表示装置における青サブピクセルの配列を示す図。
【図２１】画像データが記述する各画素の赤と、緑と、青のグレー値を示す。
【図２２】ｓｉｌｋｙ型液晶表示装置において第１組の緑サブピクセルを示す図。
【図２３】ｓｉｌｋｙ型液晶表示装置において第２組の緑サブピクセルを示す図。
【図２４】ｓｉｌｋｙ型液晶表示装置において第１組の青サブピクセルを示す図。
【図２５】ｓｉｌｋｙ型液晶表示装置において第２組の青サブピクセルを示す図。
【図２６】ｓｉｌｋｙ型液晶表示装置において各サブピクセルが表示する補正グレー値を示す図（実施例４）。
【図２７】ｓｉｌｋｙ型液晶表示装置の表示結果を示す概略図（実施例４）。
【図２８】二つのルックアップテーブルを示す図。
【図２９】ｓｉｌｋｙ型液晶表示装置において各サブピクセルが表示する補正グレー値を示す図（実施例４においてさらに赤を補正した例）。
【図３０】テキストモードによるｓｉｌｋｙ型液晶表示装置の概略図。
【図３１】本発明において利用する極性反転形式を示す概略図である。
【符号の説明】
【０１３５】
１０、２０、３０：液晶表示装置
１１、１２、２１、２２、２３、２４、２５、２６、２７、２８、２９、２０１、２０２、２０３、２０４、２０５、２０６、２０７、２０８、２０９、２１０２、２１０３、３１、３２、３３、３４、３５、３６、３７、３８、３９、３０１、３０２、３０３、３０４、３０７、３１０２、３１０３：画素
１１１、１１２、１１３、１１４、１１５、１１６、２１１、２１２、２１３、２２１、２２２、２２３、２３１、２３２、２３３、２４１、２４２、２４３、２５１、２５２、２５３、２６１、２６２、２６３、２８１、２８２、２８３、２９１、２９２、２９３、２０１１、２０１２、２０１３、２０２２、２０２３、２０３１、２０３２、２０３３、２０４１、２０５１、２０５２、２０５３、２０６２、２０６３、３１１、３１２，３１３、３２１、３２２、３２３、３３１、３３２、３３３、３４２、３４３、３５１、３５２、３５３、３６１、３６２、３６３、３８１、３８２、３８３、３９１、３９２、３９３、３０１２、３０３２、３０５２：サブピクセル
４０、４２：データ線
５０：基本グレー値信号組
５１：高グレー値信号組
５２：低グレー値信号組
Ｒ：赤サブピクセル
Ｇ：緑サブピクセル
Ｂ：青サブピクセル
ＲＨ：高グレー値（第１のグレー値）を表示する赤サブピクセル
ＲＬ：低グレー値（第２のグレー値）を表示する赤サブピクセル
ＧＨ：高グレー値（第１のグレー値）を表示する緑サブピクセル
ＧＬ：低グレー値（第２のグレー値）を表示する緑サブピクセル
ＢＨ：高グレー値（第１のグレー値）を表示する青サブピクセル
ＢＬ：低グレー値（第２のグレー値）を表示する青サブピクセル
【図１】
2006285238.tif 000031
【図２】
2006285238.tif 000032
【図３】
2006285238.tif 000033
【図４】
2006285238.tif 000034
【図５】
2006285238.tif 000035
【図６】
2006285238.tif 000036
【図７】
2006285238.tif 000037
【図８】
2006285238.tif 000038
【図９】
2006285238.tif 000039
【図１０】
2006285238.tif 000040
【図１１】
2006285238.tif 000041
【図１２】
2006285238.tif 000042
【図１３】
2006285238.tif 000043
【図１４】
2006285238.tif 000044
【図１５】
2006285238.tif 000045
【図１６】
2006285238.tif 000046
【図１７】
2006285238.tif 000047
【図１８】
2006285238.tif 000048
【図１９】
2006285238.tif 000049
【図２０】
2006285238.tif 000050
【図２１】
2006285238.tif 000051
【図２２】
2006285238.tif 000052
【図２３】
2006285238.tif 000053
【図２４】
2006285238.tif 000054
【図２５】
2006285238.tif 000055
【図２６】
2006285238.tif 000056
【図２７】
2006285238.tif 000057
【図２８】
2006285238.tif 000058
【図２９】
2006285238.tif 000059
【図３０】
2006285238.tif 000060
【図３１】
2006285238.tif 000061